(57)【特許請求の範囲】
【請求項１】
被監視者の状況に関する通知を受信する複数の端末装置を含むシステムの端末装置であって、
表示部と、
前記被監視者の状況に関する通知を受信する通信部と、
前記通信部が受信した前記被監視者の状況に関する通知に基づく状況通知画面を前記表示部に表示する表示処理部と、を備え、
前記表示処理部は、
前記通信部が受信した複数の被監視者の状況に関する通知について、各被監視者の状況に関する通知に基づく状況通知画面を前記表示部に順次表示し、
前記複数の被監視者の状況に関する通知のうちの第１の被監視者の状況に関する通知に対応して、前記複数の端末装置のうちのいずれの端末装置においても所定の操作を受け付けていない場合に、前記所定の操作以外のユーザー操作に基づいて前記第１の被監視者の状況に関する通知に基づく状況通知画面を前記表示部に表示し、
前記所定の操作は、前記被監視者に対応する意思を入力するための操作である
ことを特徴とする端末装置。
【請求項２】
前記表示処理部は、前記第１の被監視者の状況に関する通知に対応して、前記複数の端末装置のうちのいずれかの端末装置において前記所定の操作を受け付けた場合に、前記ユーザー操作に基づいて前記第１の被監視者の状況に関する通知に基づく状況通知画面を前記表示部に表示しない、請求項１に記載の端末装置。
【請求項３】
前記表示処理部は、前記複数の端末装置のうちのいずれの端末装置においても前記所定の操作を受け付けていない前記被監視者の状況に関する通知が複数ある場合に、当該複数の被監視者の状況に関する通知に基づく複数の状況通知画面を前記ユーザー操作に基づいて前記表示部にスクロールして表示する、請求項１または２に記載の端末装置。
【請求項４】
前記表示処理部は、前記表示部に状況通知画面を表示中に、前記通信部により新たな被監視者の状況に関する通知を受信した場合に、前記表示中の状況通知画面に切り替えて前記新たな被監視者の状況に関する通知に基づく状況通知画面を前記表示部に表示する、請求項１〜３のいずれかに記載の端末装置。
【請求項５】
前記被監視者の状況には、前記被監視者における複数種類の行動が含まれ、
前記表示処理部は、前記通信部により受信した新たな被監視者の状況に関する通知が、前記複数種類の行動のうちの予め定められた種類の行動に関する通知である場合に、前記表示中の状況通知画面に切り替えて前記新たな被監視者の状況に関する通知に基づく状況通知画面を前記表示部に表示する、請求項４に記載の端末装置。
【請求項６】
被監視者の状況に関する通知を受信する複数の端末装置を含むシステムの端末装置であって、表示部を備える端末装置のコンピュータに、
前記被監視者の状況に関する通知を受信するステップと、
受信した前記被監視者の状況に関する通知に基づく状況通知画面を前記表示部に表示するステップと、
を実行させるプログラムであって、
前記表示するステップは、
受信した複数の被監視者の状況に関する通知について、各被監視者の状況に関する通知に基づく状況通知画面を前記表示部に順次表示するステップと、
前記複数の被監視者の状況に関する通知のうちの第１の被監視者の状況に関する通知に対応して、前記複数の端末装置のうちのいずれの端末装置においても所定の操作を受け付けていない場合に、前記所定の操作以外のユーザー操作に基づいて前記第１の被監視者の状況に関する通知に基づく状況通知画面を前記表示部に表示するステップとを含み、
前記所定の操作は、前記被監視者に対応する意思を入力するための操作である
ことを特徴とするプログラム。
【請求項７】
前記表示するステップは、さらに、前記第１の被監視者の状況に関する通知に対応して、前記複数の端末装置のうちのいずれかの端末装置において前記所定の操作を受け付けた場合に、前記ユーザー操作に基づいて前記第１の被監視者の状況に関する通知に基づく状況通知画面を前記表示部に表示しないステップを含む、請求項６に記載のプログラム。
【請求項８】
前記表示するステップは、前記複数の端末装置のうちのいずれの端末装置においても前記所定の操作を受け付けていない前記被監視者の状況に関する通知が複数ある場合に、当該複数の被監視者の状況に関する通知に基づく複数の状況通知画面を前記ユーザー操作に基づいて前記表示部にスクロールして表示するステップを含む、請求項６または７に記載のプログラム。
【請求項９】
前記表示するステップは、前記表示部に状況通知画面を表示中に、新たな被監視者の状況に関する通知を受信した場合に、前記表示中の状況通知画面に切り替えて前記新たな被監視者の状況に関する通知に基づく状況通知画面を前記表示部に表示する、請求項６〜８のいずれかに記載のプログラム。
【請求項１０】
前記被監視者の状況には、前記被監視者における複数種類の行動が含まれ、
前記表示するステップは、前記新たな被監視者の状況に関する通知が、前記複数種類の行動のうちの予め定められた種類の行動に関する通知である場合に、前記表示中の状況通知画面に切り替えて前記新たな被監視者の状況に関する通知に基づく状況通知画面を前記表示部に表示する、請求項９に記載のプログラム。
【発明の詳細な説明】
【技術分野】
【０００１】
本発明は、例えば、看護や介護の対象となる者を、被監視者として監視する被監視者監視システムに適用される端末装置およびプログラムに関する。
【背景技術】
【０００２】
我が国（日本）は、戦後の高度経済成長に伴う生活水準の向上、衛生環境の改善および医療水準の向上等によって、高齢化社会、より詳しくは、総人口に対する６５歳以上の人口の割合である高齢化率が２１％を超える超高齢化社会になっている。また、２００５年では、総人口約１億２７６５万人に対し６５歳以上の高齢者人口は、約２５５６万人であったのに対し、２０２０年では、総人口約１億２４１１万人に対し高齢者人口は、約３４５６万人となる予測もある。このような高齢化社会では、高齢化社会ではない通常の社会よりも、病気や怪我や高齢等による看護や介護を必要とする要看護者の数の増加が見込まれる。
【０００３】
また、我が国は、超高齢化社会というだけでなく、例えば２０１３年の合計特殊出生率が１．４３％という少子化社会でもある。そのため、看護や介護の必要な高齢者を高齢の家族（配偶者、子、兄弟）が介護する老老介護といった問題も起きている。
【０００４】
要看護者や要介護者は、病院や、老人福祉施設（日本の法令では老人短期入所施設、養護老人ホームおよび特別養護老人ホーム等）等の施設に入所し、その看護や介護を受けながら生活するが、ベッドから転落したり、歩行中に転倒してけがをしたり、ベッドから抜け出して徘徊するなどの問題がある。いずれの状態も長時間放置しておくとさらに大きな問題が発生する可能性があるため、施設では、看護師や介護士等は、定期的に巡視することによってその安否や様子を確認している。しかし増加する要介護者の数に介護士の成り手の数が追い付かず介護業界は慢性的な人手不足という問題を抱えており、さらに、日勤の時間帯に較べ、準夜勤や夜勤の時間帯では、看護師や介護士等の人数が減るため、一人当たりの業務負荷が増大するので、前記業務負荷の軽減が要請されている。また、前述した老老介護の問題は、施設でも例外ではなく、高齢の要介護者を高齢の介護士がケアをすることもしばしばあり、施設内で働く介護士の多くが高齢という介護施設も存在する。高齢になると体力が衰え、健康であっても若い介護士に比べると介護することは負担であり、どうしても動きや判断が遅くなる。介護業務では転倒や転落等の事故を防止するために早い判断が重要であり、判断が遅いと手遅れになることもある。このような人手不足や介護士の負担を軽減するため、介護業務を補完する技術が求められている。このため、近年では、要介護者等の、監視すべき監視対象である被監視者を監視（モニタ）する被監視者監視装置が研究、開発されている。
【０００５】
このような技術の一つとして、例えば特許文献１に開示されたナースコールシステムがある。この特許文献１に開示されたナースコールシステムは、ベッドに設置されて患者が看護師を呼び出すためのナースコール子機と、ナースステーションに設置されて前記ナースコール子機による呼び出しに応答するためのナースコール親機とを有するナースコールシステムであって、ベッド上の患者をベッド上方から撮像するカメラと、前記カメラの撮像映像から、患者が上半身を起こした状態及び患者がベッド上から離れた状態のうち少なくとも一方の発生を判断して注意状態発生信号を出力する状態判断手段とを有し、前記ナースコール親機は、前記注意状態発生信号を受けて報知動作する報知手段を有する。
【０００６】
一方、安否確認の点では、一人暮らしの独居者も前記要介護者等と同様であり、被監視対象者となる。
【先行技術文献】
【特許文献】
【０００７】
【特許文献１】特開２０１４−９０９１３号公報
【発明の概要】
【発明が解決しようとする課題】
【０００８】
被監視者監視システムとして、センサ装置が、被監視者が所定の行動をしたことを判定したとき、判定結果を含む監視情報を送信し、表示装置が、その監視情報を基にして監視情報画面を生成して表示する態様を考える。監視者が、表示装置に表示されている監視情報画面を見て、対応を考えている状態で、表示装置が新たな監視情報（すなわち最新の監視情報）を受信することがある。このような場合、監視者が、新たな監視情報に含まれる判定結果を見落とさないようにする必要がある。特に、新たな監視情報に含まれる判定結果が重大な場合、その判定結果を見落とせば、見落とさない場合と比べて悪化した事態が生じる可能性がある。
【０００９】
本発明の目的は、監視情報画面が表示された状態で、新たな監視情報が来たとき、監視者が新たな監視情報に含まれる判定結果を見落とさないようにすることができる被監視者監視システム、監視情報画面表示装置および監視情報画面表示方法を提供することである。
【課題を解決するための手段】
【００１０】
本発明の一局面に係る監視情報画面表示装置は、被監視者が所定の行動をしたことを判定したとき、判定結果を含む監視情報を送信するセンサ装置を備える被監視者監視システムに適用される。前記監視情報画面表示装置は、通信部、表示部、表示処理部を備える。前記表示処理部は、前記通信部が受信した前記監視情報を基にして、前記判定結果を含む監視情報画面を生成し、前記監視情報画面を前記表示部に表示させる。前記表示処理部は、前記監視情報画面を前記表示部に表示させている状態で、前記通信部が新たな前記監視情報を受信したとき、現在、前記表示部に表示させている前記監視情報画面に替えて、前記通信部が受信した新たな前記監視情報を基にして生成した前記監視情報画面を前記表示部に表示させる。
【００１１】
上記並びにその他の本発明の目的、特徴及び利点は、以下の詳細な記載と添付図面から明らかになるであろう。
【発明の効果】
【００１２】
本発明によれば、監視情報画面が表示された状態で、新たな監視情報が来たとき、監視者が新たな監視情報に含まれる判定結果を見落とさないようにすることができる。
【図面の簡単な説明】
【００１３】
【図１】本実施形態における被監視者監視システムの構成を示す図である。
【図２】本実施形態の被監視者監視システムにおける携帯端末ユニットの構成を示す図である。
【図３Ａ】前記携帯端末ユニットに記憶される監視情報テーブルの各構成を示す図である。
【図３Ｂ】前記携帯端末ユニットに記憶される検知ユニット情報テーブルの各構成を示す図である。
【図４】本実施形態の被監視者監視システムで用いられるアイコンの一例を示す図である。
【図５】前記携帯端末ユニットにおける、監視情報の表示に関する動作を示すフローチャートである。
【図６】前記携帯端末ユニットに表示される待受け画面の一例を示す図である。
【図７】被監視者の起床の通知を受けた、前記携帯端末ユニットに表示される監視情報画面の一例を示す図である。
【図８】前記起床の通知を受けた後に前記被監視者の離床の通知を受けた、前記携帯端末ユニットに表示される監視情報表示画面の一例を示す図である。
【図９】前記携帯端末ユニットに全画面表示で表示される監視情報画面の一例を示す図である。
【図１０】現在、ＴＡ表示部に表示されている監視情報画面の一例を示す図である。
【図１１】図１０に示す監視情報画面に替えて、ＴＡ表示部に表示された監視情報画面の一例を示す図である。
【図１２】図１０に示す監視情報画面が表示されているときに、全ての携帯端末ユニットの監視情報記憶部に記憶された監視情報テーブルを示す図である。
【図１３】図１１に示す監視情報画面が表示されているときに、全ての携帯端末ユニットの監視情報記憶部に記憶された監視情報テーブルを示す図である。
【図１４】図１０に示す監視情報画面に替えて、ＴＡ表示部に表示された監視情報画面の他の例を示す図である。
【図１５】図１１に示す監視情報画面を下から上へフリックすることにより、切り替えられた監視情報画面の一例を示す図である。
【図１６】第１変形例で生成されたプレーンの一例を示す図である。
【図１７】第２変形例で生成されたプレーンの一例を示す図である。
【図１８】第３変形例で生成されたプレーンの一例を示す図である。
【発明を実施するための形態】
【００１４】
以下、図面に基づいて本発明の実施形態を詳細に説明する。各図において、同一符号を付した構成は、同一の構成であることを示し、その構成について、既に説明している内容については、その説明を省略する。
【００１５】
図１は、本実施形態における被監視者監視システムの構成を示す図である。図２は、本実施形態の被監視者監視システムにおける携帯端末ユニットの構成を示す図である。図３Ａは、前記携帯端末ユニットに記憶される監視情報テーブルの各構成を示す図である。図３Ｂは、前記携帯端末ユニットに記憶される検知ユニット情報テーブルの各構成を示す図である。
【００１６】
このような被監視者監視システムＭＳは、例えば、図１に示すように、複数の検知ユニット（センサユニット）ＳＵ（ＳＵ−１〜ＳＵ−４）と、管理サーバユニットＳＶと、固定端末ユニットＳＰと、１または複数の携帯端末ユニットＴＡ（ＴＡ−１、ＴＡ−２）とを備え、これらは、有線や無線で、ＬＡＮ（Ｌｏｃａｌ  Ａｒｅａ  Ｎｅｔｗｏｒｋ）、電話網およびデータ通信網等の網（ネットワーク、通信回線）ＮＷを介して通信可能に接続される。ネットワークＮＷには、通信信号を中継する例えばリピーター、ブリッジ、ルーターおよびクロスコネクト等の中継機が備えられても良い。図１に示す例では、これら複数の検知ユニットＳＵ−１〜ＳＵ−４、管理サーバユニットＳＶ、固定端末ユニットＳＰおよび複数の携帯端末ユニットＴＡ−１、ＴＡ−２は、アクセスポイントＡＰを含む無線ＬＡＮ（例えばＩＥＥＥ８０２．１１規格に従ったＬＡＮ等）のネットワークＮＷによって互いに通信可能に接続されている。
【００１７】
被監視者監視システムＭＳは、被監視者Ｏｂに応じて適宜な場所に配設される。被監視者（見守り対象者）Ｏｂは、例えば、病気や怪我等によって看護を必要とする者や、身体能力の低下等によって介護を必要とする者や、一人暮らしの独居者等である。特に、早期発見と早期対処とを可能にする観点から、被監視者Ｏｂは、例えば異常状態等の所定の不都合な事象がその者に生じた場合にその発見を必要としている者であることが好ましい。このため、被監視者監視システムＭＳは、被監視者Ｏｂの種類に応じて、病院、老人福祉施設および住戸等の建物に好適に配設される。図１に示す例では、被監視者監視システムＭＳは、複数の被監視者Ｏｂが入居する複数の居室ＲＭや、ナースステーションＳＴ等の複数の部屋を備える介護施設の建物に配設されている。
【００１８】
検知ユニットＳＵは、ネットワークＮＷを介して他のユニットＳＶ、ＳＰ、ＴＡと通信する通信機能を備え、被監視者Ｏｂを撮像して画像を生成しこの生成した画像から被監視者Ｏｂを検知する機器である。より具体的には、検知ユニットＳＵは、例えば、ネットワークを介して他のユニットＳＶ、ＳＰ、ＴＡと通信するための通信インターフェース回路（例えばＬＡＮカード等）、マイクロ波を送受信して被監視者Ｏｂの体動（例えば呼吸動作等）によって生じた前記マイクロ波のドップラシフトを検出することで被監視者Ｏｂを検知するドップラシフト方式の体動センサ、被監視者Ｏｂを撮像して画像を生成する画像センサ、前記体動センサの出力（体動センサ出力）および前記画像センサの出力（画像）に基づいて被監視者Ｏｂの検知結果として被監視者Ｏｂの状態（状況）を判定するデータ処理回路、これらを制御する制御回路およびその周辺回路を備えて構成され、前記検知結果を管理サーバユニットＳＶへ送信する。また、検知ユニットＳＵは、所定の他のユニットＳＶ、ＳＰ、ＴＡに前記生成した画像（静止画および動画を含む）を送信する。さらに、本実施形態では、検知ユニットＳＵは、固定端末ユニットＳＰや携帯端末ユニットＴＡ等に対してナースコールを通知するナースコール回路、および、固定端末ユニットＳＰや携帯端末ユニットＴＡ等との間で音声通話を行う通話回路を備え、ナースコールおよび音声通話が可能となっている。図１には、一例として、４個の第１ないし第４検知ユニットＳＵ−１〜ＳＵ−４が示されており、第１検知ユニットＳＵ−１は、被監視者Ｏｂの一人であるＡさんＯｂ−１の居室ＲＭ−１（不図示）に配設され、第２検知ユニットＳＵ−２は、被監視者Ｏｂの一人であるＢさんＯｂ−２の居室ＲＭ−２（不図示）に配設され、第３検知ユニットＳＵ−３は、被監視者Ｏｂの一人であるＣさんＯｂ−３の居室ＲＭ−３（不図示）に配設され、そして、第４検知ユニットＳＵ−４は、被監視者Ｏｂの一人であるＤさんＯｂ−４の居室ＲＭ−４（不図示）に配設されている。
【００１９】
管理サーバユニットＳＶは、ネットワークＮＷを介して他のユニットＳＵ、ＴＡ、ＳＰと通信する通信機能を備え、検知ユニットＳＵから被監視者Ｏｂに関する前記検知結果および前記被監視者Ｏｂの画像を受信して被監視者Ｏｂに対する監視に関する情報（監視情報）を管理する機器である。管理サーバユニットＳＶは、検知ユニットＳＵから被監視者Ｏｂに関する前記検知結果および前記被監視者Ｏｂの画像を受信すると、被監視者Ｏｂに対する監視に関する前記監視情報を収容した通信信号（監視情報通信信号）を固定端末ユニットＳＰおよび携帯端末ユニットＴＡに送信する。また、管理サーバユニットＳＶは、クライアント（本実施形態では固定端末ユニットＳＰおよび携帯端末ユニットＴＡ等）の要求に応じたデータを前記クライアントに提供する。このような管理サーバユニットＳＶは、例えば、通信機能付きのコンピュータによって構成可能である。
【００２０】
固定端末ユニットＳＰは、ネットワークＮＷを介して他のユニットＳＵ、ＳＶ、ＴＡと通信する通信機能、所定の情報を表示する表示機能、および、所定の指示やデータを入力する入力機能等を備え、管理サーバユニットＳＶや携帯端末ユニットＴＡに与える所定の指示やデータを入力したり、検知ユニットＳＵで得られた検知結果や画像を表示したり等することによって、被監視者監視システムＭＳのユーザインターフェース（ＵＩ）として機能する機器である。このような固定端末ユニットＳＰは、例えば、通信機能付きのコンピュータによって構成可能である。
【００２１】
携帯端末ユニットＴＡは、ネットワークＮＷを介して他のユニットＳＶ、ＳＰ、ＳＵと通信する通信機能、所定の情報を表示する表示機能、所定の指示やデータを入力する入力機能、および、音声通話を行う通話機能等を備え、管理サーバユニットＳＶや検知ユニットＳＵに与える所定の指示やデータを入力したり、管理サーバユニットＳＶからの通知によって検知ユニットＳＵで得られた前記検知結果や画像を表示したり等することによって、被監視者Ｏｂに対する監視に関する前記監視情報を受け付けて表示する機器である。
【００２２】
前記管理サーバユニットＳＶが前記表示装置の一例であって前記表示装置として機能して良く、また、前記固定端末ユニットＳＰが前記表示装置の一例であって前記表示装置として機能しても良いが、ここでは、携帯端末ユニットＴＡが前記表示装置の一例であって前記表示装置として機能する場合について、説明する。なお、前記管理サーバユニットＳＶが前記表示装置の一例であって前記表示装置として機能する場合、以下の説明と同様に、前記管理サーバユニットＳＶを構成できる。また、前記固定端末ユニットＳＰが前記表示装置の一例であって前記表示装置として機能する場合も、以下の説明と同様に、前記固定端末ユニットＳＰを構成できる。
【００２３】
このような携帯端末ユニットＴＡは、本実施形態では、例えば、図２に示すように、端末制御処理部（ＴＡ制御処理部）４１と、端末記憶部（ＴＡ記憶部）４２と、端末通信インターフェース部（ＴＡ通信ＩＦ部）４３と、端末音入出力部（ＴＡ音入出力部）４４と、端末入力部（ＴＡ入力部）４５と、端末表示部（ＴＡ表示部）４６と、端末インターフェース部（ＴＡＩＦ部）４７とを備える。
【００２４】
ＴＡ音入出力部４４は、ＴＡ制御処理部４１に接続され、外部の音を取得して携帯端末ユニットＴＡに入力するためのデバイスであって、ＴＡ制御処理部４１の制御に従って音を表す電気信号に応じた音を生成して出力するためのデバイスである。ＴＡ音入出力部４４は、例えば、音の音響振動を電気信号に変換するマイクロホン等と、音の電気信号を音の音響振動に変換するスピーカ等とを備えて構成される。ＴＡ音入出力部４４は、外部の音を表す電気信号をＴＡ制御処理部４１へ出力し、また、ＴＡ制御処理部４１から入力された電気信号を音の音響振動に変換して出力する。
【００２５】
ＴＡ入力部４５は、ＴＡ制御処理部４１に接続され、例えば、所定の操作を受け付け、携帯端末ユニットＴＡに入力するデバイスであり、例えば、所定の機能を割り付けられた複数の入力スイッチ等である。前記所定の操作には、例えば、ログインするためのＩＤの入力操作や、前記検知結果および前記画像を通報された被監視者Ｏｂに対する例えば看護等の前記対応を実行するか否かの入力操作や、前記対応を実行するか否かを判断している最中（判断中）であることを当該携帯端末ユニットＴＡに入力するための入力操作等の監視する上で必要な各種操作等が含まれる。ＴＡ表示部４６は、ＴＡ制御処理部４１に接続され、ＴＡ制御処理部４１の制御に従って、ＴＡ入力部４５から入力された所定の操作内容、および、被監視者監視システムＭＳによって監視されている被監視者Ｏｂに対する監視に関する前記監視情報（例えば判定された被監視者Ｏｂの状態や画像等）等を表示するデバイスであり、例えばＬＣＤおよび有機ＥＬディスプレイ等の表示装置である。そして、本実施形態では、ＴＡ入力部４５およびＴＡ表示部４６からタッチパネルが構成されている。この場合において、ＴＡ入力部４５は、例えば抵抗膜方式や静電容量方式等の操作位置を検出して入力する位置入力デバイスである。このタッチパネルでは、ＴＡ表示部４６の表示面上に位置入力デバイスが設けられ、ＴＡ表示部４６に入力可能な１または複数の入力内容の候補が表示され、例えば看護師や介護士等のユーザ（監視者）が、入力したい入力内容を表示した表示位置を触れると、位置入力デバイスによってその位置が検出され、検出された位置に表示された表示内容がユーザの操作入力内容として携帯端末ユニットＴＡに入力される。
【００２６】
ＴＡＩＦ部４７は、ＴＡ制御処理部４１に接続され、ＴＡ制御処理部４１の制御に従って、外部機器との間でデータの入出力を行うデバイスであり、例えば、Ｂｌｕｅｔｏｏｔｈ（登録商標）規格を用いたインターフェース回路、ＩｒＤＡ（Ｉｎｆｒａｒｅｄ  Ｄａｔａ  Ａｓｓｃｏｉａｔｉｏｎ）規格等の赤外線通信を行うインターフェース回路、および、ＵＳＢ（Ｕｎｉｖｅｒｓａｌ  Ｓｅｒｉａｌ  Ｂｕｓ）規格を用いたインターフェース回路等である。
【００２７】
ＴＡ通信ＩＦ部４３は、ＴＡ制御処理部４１に接続され、ＴＡ制御処理部４１の制御に従って通信を行うための通信デバイスである。ＴＡ通信ＩＦ部４３は、ＴＡ制御処理部４１から入力された転送すべきデータを収容した通信信号を、この被監視者監視システムＭＳのネットワークＮＷで用いられる通信プロトコルに従って生成し、この生成した通信信号をネットワークＮＷを介して他のユニットＳＵ、ＳＶ、ＳＰへ送信する。ＴＡ通信ＩＦ部４３は、ネットワークＮＷを介して他のユニットＳＵ、ＳＶ、ＳＰから通信信号を受信し、この受信した通信信号からデータを取り出し、この取り出したデータをＴＡ制御処理部４１が処理可能な形式のデータに変換してＴＡ制御処理部４１へ出力する。
【００２８】
ＴＡ記憶部４２は、ＴＡ制御処理部４１に接続され、ＴＡ制御処理部４１の制御に従って、各種の所定のプログラムおよび各種の所定のデータを記憶する回路である。前記各種の所定のプログラムには、例えば、被監視者Ｏｂに対する監視に関する前記監視情報を処理する監視処理プログラム等の制御処理プログラムが含まれる。前記監視処理プログラムには、例えば、前記監視情報の表示に関する動作を処理する表示処理プログラムが含まれる。前記各種の所定のデータでは、被監視者Ｏｂに対する監視に関する前記監視情報、検知ユニットＳＵに関する検知ユニット情報等の各データが含まれる。ＴＡ記憶部４２は、例えば不揮発性の記憶素子であるＲＯＭ（Ｒｅａｄ  Ｏｎｌｙ  Ｍｅｍｏｒｙ）や書き換え可能な不揮発性の記憶素子であるＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）等を備える。ＴＡ記憶部４２は、前記所定のプログラムの実行中に生じるデータ等を記憶するいわゆるＴＡ制御処理部４１のワーキングメモリとなるＲＡＭ（Ｒａｎｄｏｍ  Ａｃｃｅｓｓ  Ｍｅｍｏｒｙ）等を含む。そして、ＴＡ記憶部４２は、機能的に、表示画面記憶部４２１、監視情報記憶部４２２および検知ユニット情報記憶部４２３を備えている。
【００２９】
表示画面記憶部４２１は、ＴＡ制御処理部４１における後述の表示処理部４１２１の制御に従って、ＴＡ表示部４６に表示するための表示画面等の画像を記憶するものであり、例えばＶＲＡＭ（ビデオメモリ）等である。表示画面記憶部４２１は、複数の被監視者Ｏｂそれぞれに関する各監視情報を表す複数の後述の監視情報画面がある場合には、これら複数の監視情報画面を時系列に関係付けて記憶する。これら時系列に互いに関係付けられた複数の監視情報画面は、ＴＡ入力部４５で受け付けられた入力操作に応じて、一方の監視情報画面から他方の監視情報画面へ選択的に切り換えることで、ＴＡ表示部４６に表示されて良く、また、ＴＡ入力部４５で受け付けられた入力操作に応じて、連続的に表示されつつ一方の監視情報画面から他方の監視情報画面へ移行することで、ＴＡ表示部４６に表示されて良い。本実施形態では、より具体的には、互いに異なる複数の被監視者Ｏｂそれぞれに関する各監視情報を収容した複数の監視情報通信信号が受信されると、前記複数の監視情報通信信号それぞれに対応する複数の監視情報画面は、互いに時系列に連結されてプレーンに形成される。より詳しくは、前記複数の監視情報画面は、例えば、本実施形態では、ＴＡ表示部４６に表示された場合の上下方向に時系列に連結されてプレーンに形成される。なお、前記上下方向に代え、左右方向であっても良い。前記時系列の順番は、例えば、監視情報通信信号の受信時刻に従った順番であって良く、また、前記判定時刻に従った順番であって良い。そして、表示画面記憶部４２１に記憶されるプレーンサイズは、通常、ＴＡ表示部４６の画面表示領域のサイズと同等であるが、複数の監視情報通信信号が受信されると、１つの監視情報通信信号に収容された監視情報を表示する監視情報画面は、前記通常のプレーンサイズで形成され、前記複数の監視情報通信信号それぞれに対応する複数の監視情報画面は、互いに時系列に連結されてプレーンに形成されるので、この複数の監視情報通信信号が受信された場合のプレーンサイズは、複数の監視情報画面の個数に応じたサイズとなる。このプレーンに形成された複数の監視情報画面のうち、ＴＡ表示部４６の画面表示領域のサイズに応じた部分だけが、表示処理部４１２１によって、ＴＡ入力部４５で受け付けた入力操作に応じてＴＡ表示部４６に表示される。
【００３０】
監視情報記憶部４２２は、被監視者Ｏｂに対する監視に関する前記監視情報を記憶するものである。前記監視情報は、検知ユニットＳＵを特定し識別するための検知ユニット識別子（検知ＩＤ）、前記検知ＩＤに対応付けられ前記検知ＩＤを持つ前記検知ユニットＳＵで被監視者Ｏｂの状態として判定された判定結果を表す情報（判定結果情報；本実施形態では起床、離床、転倒転落、微体動異常を含む）、前記検知ＩＤに対応付けられ前記検知ＩＤを持つ前記検知ユニットＳＵで被監視者Ｏｂの状態を判定した時刻を表す情報（判定時刻情報）、前記検知ＩＤに対応付けられ前記検知ＩＤを持つ前記検知ユニットＳＵで被監視者Ｏｂの状態を判定した際に用いられた被監視者Ｏｂの静止画（複数の画像を用いて判定した場合にはそのうちの１つ（例えば最終の画像））、前記検知ＩＤに対応付けられ前記検知ＩＤを持つ前記検知ユニットＳＵの通信アドレス（例えばＩＰアドレス等）、および、前記検知ＩＤに対応付けられ前記検知ＩＤを持つ前記検知ユニットＳＵで監視されている被監視者Ｏｂに対する例えば救命、看護、介護および介助等の対応を実行する意思が携帯端末ユニットＴＡに入力されたか否かを示す対応情報等を含む。なお、前記判定時刻に代え、前記判定結果および前記画像の通報を受けた通信信号の受信時刻が用いられても良い。
【００３１】
この監視情報は、本実施形態では、テーブル形式で監視情報記憶部４２２に記憶されている。この監視情報を登録する監視情報テーブルＭＴは、例えば、図３Ａに示すように、前記検知ＩＤを登録する検知ＩＤフィールド４２３１と、検知ＩＤフィールドに登録された検知ＩＤに対応する検知ユニットＳＵにかかる前記判定結果情報を登録する判定結果フィールド４２３２と、検知ＩＤフィールドに登録された検知ＩＤに対応する検知ユニットＳＵにかかる前記判定時刻情報を登録する判定時刻フィールド４２３３と、検知ＩＤフィールドに登録された検知ＩＤに対応する検知ユニットＳＵにかかる前記静止画を登録する静止画フィールド４２３４と、ライブ動画の取得先として、検知ＩＤフィールドに登録された検知ＩＤに対応する検知ユニットＳＵの通信アドレス（例えばＩＰアドレス等）を登録する動画フィールド４２３５と、検知ＩＤフィールドに登録された検知ＩＤに対応する検知ユニットＳＵで監視されている被監視者Ｏｂに対する前記対応の意思の入否を示す対応情報を登録する対応フィールド４２３６とを備え、検知ＩＤごとにレコードを備える。対応フィールド４２３６には、前記対応の意思の入否を示す対応情報を示すフラグが登録されている。例えば、本実施形態では、対応フィールド４２３６には、前記対応の意思が携帯端末ユニットＴＡに入力されたことを意味するフラグ「１」、あるいは、前記対応の意思が携帯端末ユニットＴＡに入力されていないことを意味するフラグ「０」が登録される。なお、静止画フィールド４２３４には、例えば、静止画の画像データが登録されて良く、また例えば、静止画の画像データのファイル名が登録されて良い。この図３Ａに示す例では、第１番目のレコードにおいて、検知ＩＤフィールド４２３１、判定結果フィールド４２３２、判定時刻フィールド４２３３、静止画フィールド４２３４、動画フィールド４２３５および対応フィールド４２３６それぞれには、「ＳＵ−１」、「起床」、「０６：３２」、「ＳＰ１」、「＊＊．＊＊．＊＊．＊＊」（＊＊は整数値）および「０」が登録されており、第２番目のレコードにおいて、検知ＩＤフィールド４２３１、判定結果フィールド４２３２、判定時刻フィールド４２３３、静止画フィールド４２３４、動画フィールド４２３５および対応フィールド４２３６それぞれには、「ＳＵ−１」、「離床」、「０６：４５」、「ＳＰ２」、「＊＊．＊＊．＊＊．＊＊」（＊＊は整数値）および「０」が登録されている。
【００３２】
なお、図３Ａに示す例では、監視情報テーブルＭＴは、動画フィールド４２３５を備えたが、検知ＩＤと、ライブ動画の取得先として、検知ユニットＳＵの通信アドレスとの対応関係を示すテーブルが監視情報テーブルＭＴとは別途に用意されて監視情報記憶部４２２に記憶され、図３Ａに示す監視情報テーブルＭＴから、動画フィールド４２３５が省略されても良い。
【００３３】
検知ユニット情報記憶部４２３は、検知ユニットＳＵに関する前記検知ユニット情報を記憶するものである。前記検知ユニット情報は、検知ユニットＳＵにおける配設場所、および、前記検知ユニットＳＵで監視される被監視者名を含む。この検知ユニット情報は、本実施形態では、テーブル形式で検知ユニット情報記憶部４２３に記憶されている。この検知ユニット情報を登録する検知ユニット情報テーブルＤＴは、例えば、図３Ｂに示すように、検知ＩＤを登録する検知ＩＤフィールド４２４１と、前記検知ＩＤに対応付けられ前記検知ＩＤを持つ前記検知ユニットＳＵの配設場所を登録する配設場所フィールド４２４２と、前記検知ＩＤに対応付けられ前記検知ＩＤを持つ前記検知ユニットＳＵで監視される被監視者Ｏｂの名前を登録する被監視者名フィールド４２４３とを備え、検知ＩＤごとにレコードを備える。この図３Ｂに示す例では、第１番目のレコードにおいて、検知ＩＤフィールド４２４１、配設場所フィールド４２４２および被監視者名フィールド４２４３それぞれには、「ＳＵ−１」、「１０１」および「Ｍｓ．○○○○」が登録されており、第２番目のレコードにおいて、検知ＩＤフィールド４２４１、配設場所フィールド４２４２および被監視者名フィールド４２４３それぞれには、「ＳＵ−２」、「１０２」および「Ｍｒ．××××」が登録されている。
【００３４】
アイコン記憶部４２４は、前記判定結果に対応付けて前記判定結果を象徴的に表すアイコンを記憶するものである。より具体的には、アイコン記憶部４２４は、互いに異なる種類の判定結果それぞれに対応付けて当該判定結果を表す複数のアイコンを記憶する。例えば、本実施形態では、検知ユニットＳＵによって被監視者Ｏｂの状態として起床、離床、転倒転落および微体動異常の別が判定されており、これらの各判定結果（起床、離床、転倒転落および微体動異常）に対応した各アイコン（各アイコンの各画像データ）が予め用意されている。例えば、図４に示すように、被監視者Ｏｂが起床したと判定されたことを象徴的に表す起床アイコンＩＣ−１、被監視者Ｏｂが離床したと判定されたことを象徴的に表す離床アイコンＩＣ−２、被監視者Ｏｂが転倒転落したと判定されたことを象徴的に表す転倒転落アイコンＩＣ−３、および、被監視者Ｏｂが微体動異常であると判定されたことを象徴的に表す微体動異常アイコンＩＣ−４の４個のアイコンＩＣが予め用意されている。そして、これら各アイコンが各判定結果に対応付けられてアイコン記憶部４２４に記憶される。例えば、アイコンのデータを格納したファイル（電子ファイル）、および、前記判定結果と前記判定結果を象徴的に表すアイコンのファイル名との対応関係を示すテーブル（アイコンテーブル）が、アイコン記憶部４２４に予め記憶される。
【００３５】
ＴＡ制御処理部４１は、携帯端末ユニットＴＡの各部を当該各部の機能に応じてそれぞれ制御し、被監視者Ｏｂに対する監視に関する監視情報を処理するための回路である。ＴＡ制御処理部４１は、例えば、ＣＰＵ（Ｃｅｎｔｒａｌ  Ｐｒｏｃｅｓｓｉｎｇ  Ｕｎｉｔ）およびその周辺回路を備えて構成される。ＴＡ制御処理部４１は、制御処理プログラムが実行されることによって、端末制御部（ＴＡ制御部）４１１および端末監視処理部（ＴＡ監視処理部）４１２を機能的に備え、ＴＡ監視処理部４１２は、表示処理部４１２１を機能的に備える。
【００３６】
ＴＡ制御部４１１は、携帯端末ユニットＴＡの各部を当該各部の機能に応じてそれぞれ制御し、携帯端末ユニットＴＡの全体制御を司るものである。
【００３７】
ＴＡ監視処理部４１２は、被監視者Ｏｂに対する監視に関する前記監視情報を処理するものである。より具体的には、ＴＡ監視処理部４１２は、前記監視情報通信信号をＴＡ通信ＩＦ部４３で受信した場合に、この受信した監視情報通信信号に収容された被監視者Ｏｂの前記監視情報を監視情報テーブルＭＴに登録することで前記監視情報を監視情報記憶部４２２に記憶する。
【００３８】
表示処理部４１２１は、前記監視情報の表示に関する動作を処理するものである。
【００３９】
このような携帯端末ユニットＴＡは、例えば、いわゆるタブレット型コンピュータやスマートフォンや携帯電話機等の、持ち運び可能な通信端末装置によって構成可能である。
【００４０】
次に、本実施形態の動作について説明する。このような構成の被監視者監視システムＭＳでは、各ユニットＳＵ、ＳＶ、ＳＰ、ＴＡは、電源が投入されると、必要な各部の初期化を実行し、その稼働を始める。また、携帯端末ユニットＴＡでは、その制御処理プログラムの実行によって、ＴＡ制御処理部４１には、ＴＡ制御部４１１およびＴＡ監視処理部４１２が機能的に構成され、ＴＡ監視処理部４１２には、表示処理部４１２１が機能的に構成される。
【００４１】
そして、上記構成の被監視者監視システムＭＳは、大略、次の動作によって、各被監視者Ｏｂそれぞれを監視している。検知ユニットＳＵは、所定のサンプリング周期で前記体動センサの出力および前記画像センサの出力をサンプリングし、このサンプリングした前記体動センサの出力および前記画像センサの出力に基づいて被監視者Ｏｂの状態（状況）を判定し、この判定の結果、被監視者Ｏｂが予め設定された状態（例えば、本実施形態では、起床、離床、転倒転落および微体動異常等）であると判定すると、自機の検知ＩＤ、被監視者Ｏｂの状態として判定された判定結果を表す判定結果情報、その判定時刻を表す判定時刻情報、その判定の際に用いられた被監視者Ｏｂの静止画（複数の画像を用いて判定した場合にはそのうちの１つ（例えば最終の画像））の画像データ、および、動画像をダウンロードする通信先として自機の通信アドレス（例えばＩＰアドレス）等を収容した通信信号（監視情報通信信号）をネットワークＮＷを介して管理サーバユニットＳＶへ送信する。前記自機の通信アドレスは、ヘッダに収容された送信元の通信アドレスが兼用されても良い。検知ユニットＳＵは、公知技術によって被監視者Ｏｂの状態（状況）を判定できる。例えば、検知ユニットＳＵは、前記体動センサによって被監視者Ｏｂの呼吸動作に伴う胸部の体動（胸部の上下動）を検出し、その胸部の体動における周期の乱れや予め設定された閾値以下である前記胸部の体動における振幅を検知すると、前記微体動異常であると判定する。また例えば、検知ユニットＳＵは、前記画像センサによって被監視者Ｏｂの画像を取得し、この取得した画像から被監視者Ｏｂの人物領域を検出し、この検出した人物領域の縦横比から被監視者Ｏｂの姿勢（例えば立位、座位および横臥等）を判定し、この検出した人物領域の位置を検出し、これら判定、検出した被監視者Ｏｂの姿勢および位置に基づいて前記起床、離床および転倒転落の別を判定する。
【００４２】
管理サーバユニットＳＶは、前記監視情報通信信号をネットワークＮＷを介して検知ユニットＳＵから受信すると、この監視情報通信信号に収容された検知ＩＤ、判定結果情報、判定時刻情報、静止画の画像データおよび動画像を得るための通信アドレスを互いに対応付けて記憶（記録）する。そして、管理サーバユニットＳＶは、この監視情報通信信号を固定端末ユニットＳＰおよび携帯端末ユニットＴＡに向け例えばブロードキャストやマルチキャストの同報通信で送信する。これによって被監視者Ｏｂの状態（状況）が報知される。なお、送信元の通信アドレスが動画を得るための通信アドレスとして兼用されている場合には、管理サーバユニットＳＶによる監視情報通信信号の転送によって送信元の通信アドレスは、管理サーバユニットＳＶの通信アドレスとなるので、管理サーバユニットＳＶは、ヘッダに収容されている送信元の検知ユニットＳＵの通信アドレスを、監視情報通信信号のペイロードに収容してから前記監視情報通信信号を同報通信する。また、管理サーバユニットＳＶは、前記監視情報通信信号を、前記監視情報通信信号を送信した検知ユニットＳＵに予め対応付けたれた携帯端末ユニットＴＡにユニキャストで送信しても良い。
【００４３】
固定端末ユニットＳＰおよび携帯端末ユニットＴＡは、前記監視情報通信信号をネットワークＮＷを介して管理サーバユニットＳＶから受信すると、この監視情報通信信号に収容された被監視者Ｏｂの監視に関する前記監視情報を表示する。携帯端末ユニットＴＡによるこの監視情報を表示する動作については、以下で詳述する。このような動作によって、被監視者監視システムＭＳは、各検知ユニットＳＵ、管理サーバユニットＳＶ、固定端末ユニットＳＰおよび携帯端末ユニットＴＡによって、大略、各被監視者Ｏｂを検知して各被監視者Ｏｂを監視している。
【００４４】
次に、被監視者監視システムＭＳにおける、被監視者Ｏｂの監視に関する前記監視情報を表示する動作について、説明する。図５は、携帯端末ユニットＴＡにおける、監視情報の表示に関する動作を示すフローチャートである。図６は、携帯端末ユニットＴＡに表示される待受け画面の一例を示す図である。図７は、被監視者Ｏｂの起床の通知を受けた、携帯端末ユニットＴＡに表示される監視情報画面の一例を示す図である。図８は、前記起床の通知を受けた後に被監視者Ｏｂの離床の通知を受けた、携帯端末ユニットＴＡに表示される監視情報表示画面の一例を示す図である。図９は、携帯端末ユニットＴＡに全画面表示で表示される監視情報画面の一例を示す図である。
【００４５】
図５において、携帯端末ユニットＴＡは、電源が投入されて起動し、例えば看護師や介護士等の監視者（ユーザ）によるログイン操作を受け付けると、ＴＡ監視処理部４１２によって、自機宛の通信信号を待ち受ける待受け画面をＴＡ表示部４６に表示する（Ｓ１）。この待受け画面５１は、例えば、図６に示すように、メニューバーを表示するメニューバー領域５１１と、待ち受け中であることを表すメッセージ（例えば「通知はありません」）およびアイコンを表示する待受けメイン領域５１２と、現在時刻を表示する時刻領域５１３と、今日の年月日曜日を表示する年月日曜日領域５１４と、今、当該携帯端末ユニットＴＡにログインしているユーザ名を表示するユーザ名領域５１５とを備える。
【００４６】
次に、携帯端末ユニットＴＡは、ＴＡ制御部４１１によって、ＴＡ通信ＩＦ部４３で通信信号を受信したか否かを判断する（Ｓ２）。この判断の結果、通信信号を受信していない場合（Ｎｏ）には、携帯端末ユニットＴＡは、処理をＳ１に戻し、前記判断の結果、通信信号を受信している場合（Ｙｅｓ）には、携帯端末ユニットＴＡは、次の処理Ｓ３を実行する。
【００４７】
この処理Ｓ３では、通信信号を受信すると、携帯端末ユニットＴＡは、ＴＡ監視処理部４１２によって、この受信した通信信号が監視情報通信信号であるか否かを判定する。この判定の結果、前記受信した通信信号が監視情報通信信号ではない場合（Ｎｏ）には、携帯端末ユニットＴＡは、ＴＡ制御処理部４１によって、前記受信した通信信号に応じた適宜な処理を実行し（Ｓ２１）、この前記監視情報の表示動作を終了する。一方、前記判定の結果、前記受信した通信信号が監視情報通信信号である場合（Ｙｅｓ）には、携帯端末ユニットＴＡは、ＴＡ監視処理部４１２によって、前記受信した監視情報通信信号に収容されている検知ＩＤ、判定結果情報、判定時刻情報、静止画の画像データおよび動画像を得るための通信アドレスを、監視情報テーブルＭＴに登録することで、これらを互いに対応付けて監視情報記憶部４２２に記憶し（Ｓ４）、次の処理Ｓ５を実行する。なお、監視情報テーブルＭＴに前記各情報を登録する際に、ＴＡ監視処理部４１２は、その対応フィールド４２３６それぞれにはデフォルトのフラグ「０」を登録する。フラグ「０」は、既に説明したように、対応の意思が携帯端末ユニットＴＡに入力されていないことを示す。すなわち、フラグ「０」は、いずれの携帯端末ユニットＴＡにおいても、「対応する」ボタン５２４（図７）がまだタッチされていないことを示す。
【００４８】
この処理Ｓ５では、携帯端末ユニットＴＡは、ＴＡ監視処理部４１２の表示処理部４１２１によって、前記受信した監視情報通信信号に収容された監視情報にかかる被監視者Ｏｂ−Ｂと異なる被監視者Ｏｂ−Ａにかかる監視情報を表示する他の監視情報画面５２（５２−Ａ）が既に存在するか否かを判定し、次の処理Ｓ６を実行する。より具体的には、ＴＡ監視処理部４１２の表示処理部４１２１は、前記受信した監視情報通信信号に収容されている検知ＩＤと第１の関係を有するレコードが、図３Ａに示す監視情報テーブルＭＴに登録されているか否かを判定することによって、他の監視情報画面５２−Ａが既に存在するか否かを判定する。第１の関係を有するレコードは、前記受信した監視情報通信信号に収容されている検知ＩＤと異なる検知ＩＤを含み、かつ、フラグ「０」を含む。レコードは、第１番目のレコード及び第２番目のレコードを例にして既に説明している。
【００４９】
この判定の結果、前記受信した監視情報通信信号に収容されている検知ＩＤと第１の関係を有するレコードが、監視情報テーブルＭＴに登録されていない場合、異なる検知ＩＤの監視情報通画面５２−Ａが存在していないと判定し（Ｎｏ）、携帯端末ユニットＴＡは、次の処理Ｓ６を実行し、一方、前記判定の結果、前記受信した監視情報通信信号に収容されている検知ＩＤと第１の関係を有するレコードが、監視情報テーブルＭＴに登録されている場合、異なる検知ＩＤの監視情報画面５２−Ａが既に存在していると判定し（Ｙｅｓ）、携帯端末ユニットＴＡは、次の処理Ｓ６を実行する。なお、監視情報画面５２については、後に詳述する。
【００５０】
この処理Ｓ６では、携帯端末ユニットＴＡは、表示処理部４１２１によって、前記受信した監視情報通信信号に収容されている監視情報が監視情報画面５２の存在している検知ユニットＳＵに関する情報であるか否かを判定する。より具体的には、表示処理部４１２１は、前記受信した監視情報通信信号に収容されている検知ＩＤと同じ検知ＩＤを収容した監視情報通信信号を、前記受信した監視情報通信信号より前に（過去に）既に受信し、この既に受信した監視情報通信信号の監視情報画面５２が表示のために作成されている否かを判定する。より詳しくは、表示処理部４１２１は、前記受信した監視情報通信信号に収容されている検知ＩＤと第２の関係を有するレコードが、監視情報テーブルＭＴに登録されているか否かを判定することによって、前記既に受信し、この既に受信した監視情報通信信号の監視情報画面５２が表示のために作成されている否かを判定する。第２の関係を有するレコードは、前記受信した監視情報通信信号に収容されている検知ＩＤと同じ検知ＩＤを含み、かつ、フラグ「０」を含む。
【００５１】
この判定の結果、前記受信した監視情報通信信号に収容されている検知ＩＤと第２の関係を有するレコードが、監視情報テーブルＭＴに登録されていない場合、同じ検知ＩＤの監視情報通信信号を既に受信していないと判定し（Ｎｏ）、携帯端末ユニットＴＡは、処理Ｓ７を実行し、一方、前記判定の結果、前記受信した監視情報通信信号に収容されている検知ＩＤと第２の関係を有するレコードが、監視情報テーブルＭＴに登録されている場合、同じ検知ＩＤの監視情報通信信号を既に受信していると判定し（Ｙｅｓ）、携帯端末ユニットＴＡは、処理Ｓ８を実行する。後の本実施形態の特徴１で説明するように、処理Ｓ５がＹＥＳの場合、ＮＯの場合のいずれのときも、処理Ｓ６は、Ｙｅｓの場合、Ｎｏの場合のいずれの可能性もある。
【００５２】
この処理Ｓ７では、携帯端末ユニットＴＡは、表示処理部４１２１によって、前記受信した監視情報通信信号に収容されている各情報（各データ）に従った監視情報画面５２（５２−Ｂ）を新たに表示画面記憶部４２１に形成して記憶する。
【００５３】
この監視情報画面５２は、被監視者Ｏｂの監視に関する前記監視情報を表示するための画面である。前記監視情報画面５２（５２ａ）は、例えば、図７に示すように、メニューバー領域５１１と、検知ＩＤの検知ユニットＳＵの配設場所および前記検知ＩＤの前記検知ユニットＳＵによって監視される被監視者Ｏｂの名前を表示する被監視者名領域５２１と、判定時刻（または受信時刻）からの経過時間および判定結果を象徴的に表すアイコンを表示するアイコン領域５２２と、前記検知ＩＤの前記検知ユニットＳＵによって撮像された画像（ここでは静止画）を表示する画像領域５２３ａと、「対応する」ボタン５２４と、「話す」ボタン５２５と、「ＬＩＶＥを見る」ボタン５２６と、を備える。「対応する」ボタン５２４は、前記検知ＩＤの前記検知ユニットＳＵによって監視される被監視者Ｏｂに対する例えば救命、看護、介護および介助等の前記対応を実行する意思が当該携帯端末ユニットＴＡのユーザにあることを当該携帯端末ユニットＴＡに入力し、前記意思が入力されたことを固定端末ユニットＳＰおよび他の携帯端末ユニットＴＡに報知させる指示を、当該携帯端末ユニットに入力するためのボタンである。「話す」ボタン５２５は、前記検知ＩＤの前記検知ユニットＳＵと当該携帯端末ユニットＴＡとをネットワークＮＷを介して通話可能に接続する指示を入力するためのボタンである。「ＬＩＶＥを見る」ボタン５２６は、前記検知ＩＤの前記検知ユニットＳＵによって撮像される動画を表示させる指示を入力するためのボタンである。
【００５４】
前記受信した監視情報通信信号に収容されている各情報に従った監視情報画面５２−Ｂを作成するために、表示処理部４１２１は、前記受信した監視情報通信信号に収容されている検知ＩＤに対応する配設場所および被監視者名を検知ユニット情報記憶部４２３から前記検知ＩＤを検索キーとして検索し、前記受信した監視情報通信信号に収容されている判定時刻からの経過時間を求め、前記受信した監視情報通信信号に収容されている判定結果に対応するアイコンＩＣをアイコン記憶部４２４から前記判定結果を検索キーとして検索する。なお、各判定結果に対応する各アイコンＩＣは、各判定結果に対応付けられてアイコン記憶部４２４に予め記憶される。そして、表示処理部４１２１は、メニューバーをメニューバー領域５１１に表示し、前記検索した配設場所および被監視者名を被監視者名領域５２１に表示し、前記求めた経過時間および前記検索したアイコンＩＣをアイコン領域５２２に表示し、前記受信した監視情報通信信号に収容されている画像（静止画）を画像領域５２３ａに表示し、「対応する」ボタン５２４、「話す」ボタン５２５、および、「ＬＩＶＥを見る」ボタン５２６を表示することで監視情報画面５２ａを表示画面記憶部４２１に形成して記憶する。
【００５５】
そして、このように新たな監視情報画面５２−Ｂを形成すると、表示処理部４１２１は、前記処理Ｓ５における判定の結果、異なる検知ＩＤの監視情報画面５２−Ａが既に存在している場合には、前記新たに形成した監視情報画面５２−Ｂと前記既に存在している監視情報画面５２−Ａとを時系列に関連付けて表示画面記憶部４２１に記憶する。より具体的には、表示処理部４１２１は、前記新たに形成した監視情報画面５２−Ｂと前記既に存在している監視情報画面５２−Ａとを、ＴＡ表示部４６に表示された場合の上下方向に時系列に連結してプレーンに形成する。
【００５６】
図５に戻って、処理Ｓ８では、携帯端末ユニットＴＡは、表示処理部４１２１によって、前記受信した監視情報通信信号に収容されている各情報（各データ）に従って監視情報画面５２（５２−Ｂ）を更新し、表示画面記憶部４２１に形成して記憶する。
【００５７】
前記受信した監視情報通信信号に収容されている各情報に従って監視情報画面５２−Ｂを更新するために、表示処理部４１２１は、前記受信した監視情報通信信号に収容されている判定時刻からの経過時間を求め、前記受信した監視情報通信信号に収容されている判定結果に対応するアイコンＩＣをアイコン記憶部４２４から前記判定結果を検索キーとして検索する。そして、表示処理部４１２１は、既に存在している監視情報画面５２に対し、前記求めた経過時間および前記検索したアイコンＩＣをアイコン領域５２２に表示し、前記受信した監視情報通信信号に収容されている画像（静止画）を画像領域５２３ａに表示することで監視情報画面５２−Ｂを更新し、表示画面記憶部４２１に記憶（形成）する。ここで、アイコン領域５２２には、既に受信していた監視情報通信信号に収容された判定結果に応じてアイコンＩＣが表示されているので、今般の前記検索したアイコンＩＣは、この既に表示されているアイコンＩＣに対して時系列に並べられてアイコン領域５２２に表示される。例えば、被監視者Ｏｂの判定結果「起床」が報知された後に、その判定結果「離床」が報知された場合、図８に示す、被監視者Ｏｂの判定結果「起床」を表す起床アイコンＩＣ−１がアイコン領域５２２に表示されている監視情報画面５２ｂは、被監視者Ｏｂの判定結果「離床」を表す離床アイコンＩＣ−２が前記判定結果「起床」を表す起床アイコンＩＣ−１に対する紙面左隣に並べてアイコン領域５２２に表示されて更新される。
【００５８】
そして、このように監視情報画面５２−Ｂを更新して形成すると、処理Ｓ７と同様に、表示処理部４１２１は、前記処理Ｓ５における判定の結果、異なる検知ＩＤの監視情報画面５２−Ａが既に存在している場合には、前記更新して形成した監視情報画面５２−Ｂと前記既に存在している監視情報画面５２−Ａとを時系列に関連付けて表示画面記憶部４２１に記憶する。より具体的には、表示処理部４１２１は、前記更新して形成した監視情報画面５２−Ｂと前記既に存在している監視情報画面５２−Ａとを、ＴＡ表示部４６に表示された場合の上下方向に時系列に連結してプレーンに形成する。なお、表示処理部４１２１は、既存の時系列の関連付け（時系列の連結）を維持してこれらを時系列に関連付けて良く、また、前記受信した監視情報通信信号に基づいて新たな時系列で関連付けてこれらを再編しても良い。
【００５９】
表示処理部４１２１は、処理Ｓ７をしたとき、例えば、図７に示す監視情報画面５２ａをＴＡ表示部４６に表示させ、処理Ｓ８をしたとき、例えば、図８に示す監視情報画面５２ｂをＴＡ表示部４６に表示させる（Ｓ９）。
【００６０】
次に、携帯端末ユニットＴＡは、ＴＡ制御処理部４１によって、ＴＡ入力部４５およびＴＡ表示部４６を備えて成るタッチパネルで入力操作を受け付けたか否かを判定する（Ｓ１０）。この判定の結果、入力操作を受け付けていない場合（Ｎｏ）には、携帯端末ユニットＴＡは、処理を処理Ｓ１０に戻し、一方、前記判定の結果、入力操作を受け付けている場合には、携帯端末ユニットＴＡは、次の処理Ｓ１１を実行する。
【００６１】
この処理Ｓ１１では、携帯端末ユニットＴＡは、ＴＡ制御処理部４１によって、入力操作の内容に応じた適宜な処理を実行し、この前記監視情報の表示動作を終了する。
【００６２】
例えば、携帯端末ユニットＴＡは、ＴＡ制御処理部４１によって、ＴＡ入力部４５およびＴＡ表示部４６を備えて成るタッチパネルで前記入力操作として「タップ」を受け付けると、画像領域５２３ａを全画面表示の画像領域５２３ｂに代えた監視情報画面５２ｃをＴＡ表示部４６に表示する。この監視情報画面５２ｃは、例えば、図９に示すように、メニューバー領域５１１と、被監視者名領域５２１と、前記検知ＩＤの前記検知ユニットＳＵによって撮像された画像（ここでは静止画）を、メニューバー領域５１１および被監視者名領域５２１を除いた残余の領域全面で表示する全画面表示の画像領域５２３ｂとを備える。この全画面表示によって、監視者（ユーザ）は、被監視者Ｏｂの様子をより詳細に認識することができる。
【００６３】
例えば、携帯端末ユニットＴＡは、ＴＡ制御処理部４１によって、「対応する」ボタン５２４の入力操作を受け付けると、現在、ＴＡ表示部４６に表示している被監視者Ｏｂの監視情報に対応する検知ＩＤを検知ＩＤフィールド４２３１に登録しているレコードにおける、対応フィールド４２３６にフラグ「１」を登録し、当該携帯端末ユニットＴＡにログインしている監視者（ユーザ）が、現在、ＴＡ表示部４６に表示している被監視者Ｏｂに対する例えば看護等の前記対応を実行する意思があることを、固定端末ユニットＳＰおよび他の携帯端末ユニットＴＡに報知し、ＴＡ表示部４６に表示している被監視者Ｏｂの監視情報画面５２を削除する。
【００６４】
また例えば、携帯端末ユニットＴＡは、ＴＡ制御処理部４１によって、「話す」ボタン５２５の入力操作を受け付けると、現在、ＴＡ表示部４６に表示している被監視者Ｏｂを検知する検知ユニットＳＵと、ネットワークＮＷを介して通話可能に接続する。
【００６５】
また例えば、携帯端末ユニットＴＡは、ＴＡ制御処理部４１によって、「ＬＩＶＥを見る」ボタン５２６の入力操作を受け付けると、現在、ＴＡ表示部４６に表示している被監視者Ｏｂを監視する検知ユニットＳＵと、ネットワークＮＷを介して動画のダウンロード可能に接続する。これによって画像領域５２３ａには、あるいは、前記「タップ」によって切り替わった画像領域５２３ｂには、被監視者Ｏｂの動画が表示される。
【００６６】
本実施形態の特徴１〜特徴６について説明する。図１を参照して、被監視者監視システムＭＳは、複数の被監視者Ｏｂのそれぞれに割り当てられた複数の検知ユニットＳＵを備える。検知ユニットＳＵは、センサ装置の具体例であり、被監視者Ｏｂが所定の行動をしたことを判定したとき、判定結果を含む監視情報を送信する。詳しくは、検知ユニットＳＵは、割り当てられた一人の被監視者Ｏｂについて、静止画を撮影する機能、および、所定の行動を検知する機能を有し、所定の行動を検知したとき（すなわち、所定の行動をしたと判定したとき）、所定の行動をした判定をしたときに撮影した静止画、および、判定結果を含む監視情報を送信する。
【００６７】
割り当てられた一人の被監視者Ｏｂとは、検知ユニットＳＵ−１の場合、被監視者Ｏｂ−１であり、検知ユニットＳＵ−２の場合、被監視者Ｏｂ−２であり、検知ユニットＳＵ−３の場合、被監視者Ｏｂ−３であり、検知ユニットＳＵ−４の場合、被監視者Ｏｂ−４である。
【００６８】
検知ユニットＳＵは、所定の行動として、二種類以上の行動を区別して判定できる。例えば、図４で説明した行動、すなわち、起床、離床、転倒転落、微体動異常の４つの行動を区別して判定できる。これらの判定の仕方について、既に簡単に説明した。
【００６９】
監視情報の送信先は、管理サーバユニットＳＶである。管理サーバユニットＳＶは、受信した監視情報を、記憶し、かつ、固定端末ユニットＳＰおよび全ての携帯端末ユニットＴＡに一斉送信する。
【００７０】
本実施形態の特徴１から説明する。図２を参照して、表示処理部４１２１は、監視情報画面をＴＡ表示部４６に表示させている状態で、ＴＡ通信ＩＦ部４３（通信部）が、ネットワークＮＷを介して新たな監視情報を受信したとき、現在、ＴＡ表示部４６に表示させている監視情報画面に替えて、ＴＡ通信ＩＦ部４３が受信した新たな監視情報を基にして生成した監視情報画面をＴＡ表示部４６に表示させる。
【００７１】
特徴１について詳しく説明する。表示処理部４１２１は、監視情報を基にして、判定結果を含む監視情報画面を生成し、監視情報画面をＴＡ表示部４６に表示させる。判定結果は、図４で説明したアイコンＩＣで示される。図１０は、現在、ＴＡ表示部４６に表示されている監視情報画面５２−ｔ３の一例を示す図である。図１１は、図１０に示す監視情報画面５２−ｔ３に替えて、ＴＡ表示部４６に表示された監視情報画面５２−ｔ４の一例を示す図である。
【００７２】
現時点において、全ての携帯端末ユニットＴＡの監視情報記憶部４２２には、図１２に示す監視情報テーブルＭＴに示す情報が記憶され、ＴＡ表示部４６には、図１０に示す監視情報画面５２−ｔ３が表示さているとする。監視情報画面５２−ｔ３，５２−ｔ１によって、時系列に連結されたプレーンＰＬ−１が形成されている。プレーンＰＬ−１は、表示画面記憶部４２１（図２）に記憶されている。監視情報テーブルＭＴについては、図３Ａを用いて既に説明した。監視情報画面５２−ｔ３は、監視情報ＭＩ−ｔ３を用いて生成された画面である。監視情報ＭＩ−ｔ３は、この時点で最新の監視情報である。監視情報は、図３Ａで説明したレコードを意味する。
【００７３】
図１０および図１２を参照して、被監視者名領域５２１には、監視情報ＭＩ−ｔ３に含まれる検知ＩＤで特定される被監視者名が表示されている。アイコン領域５２２には、監視情報ＭＩ−ｔ３に含まれる判定結果を示す起床アイコンＩＣ−１が表示されている。画像領域５２３ａには、監視情報ＭＩ−ｔ３に含まれる静止画Ｉｍ−ｔ３が表示されている。
【００７４】
別監視情報受信表示５３１ａは、例えば、棒形状の表示であり、ＴＡ表示部４６に、現在、表示されている監視情報画面よりも古い監視情報画面の中で、「対応する」ボタン５２４がまだタッチされていない状態の監視情報画面が存在することを示している。詳しく説明すると、上述したように、全ての携帯端末ユニットＴＡのＴＡ表示部４６には、監視情報ＭＩ−ｔ３を基にして生成された監視情報画面５２−ｔ３が表示されている。全ての携帯端末ユニットＴＡのＴＡ通信ＩＦ部４３は、監視情報ＭＩ−ｔ３を受信したときよりも前に、監視情報ＭＩ−ｔ１および監視情報ＭＩ−ｔ２を受信している。監視情報ＭＩ−ｔ１を基にして生成された監視情報画面５２−ｔ１および監視情報ＭＩ−ｔ２を基にして生成された監視情報画面（不図示）は、監視情報画面５２−ｔ３よりも古いことになる。
【００７５】
監視情報ＭＩ−ｔ１について、対応フィールド４２３６は「０」である。これは、監視情報ＭＩ−ｔ１を基にして生成された監視情報画面５２−ｔ１について、いずれの携帯端末ユニットＴＡにおいても、「対応する」ボタン５２４がまだタッチされていないことを示す。一方、監視情報ＭＩ−ｔ２について、対応フィールド４２３６は「１」である。これは、監視情報ＭＩ−ｔ２を基にして生成された監視情報画面（不図示）について、いずれかの携帯端末ユニットＴＡにおいて、「対応する」ボタン５２４がタッチされたことを示す。
【００７６】
別監視情報受信表示５３１ａは、ＴＡ表示部４６に、現在、表示されている監視情報画面５２−ｔ３よりも古い監視情報画面のうち、対応フィールド４２３６が「０」である監視情報を基にして生成された監視情報画面の存在、及び、その件数を示している。図１０において、別監視情報受信表示５３１ａは、１件の監視情報画面（監視情報画面５２−ｔ１）が存在することを示している。監視情報画面５２−ｔ１と監視情報画面５２−ｔ３とが、時系列に連結し、プレーンを形成している。この状態で、監視情報画面５２−ｔ１と監視情報画面５２−ｔ３とが表示画面記憶部４２１（図２）に記憶されている。
【００７７】
なお、ＴＡ表示部４６に、現在、表示されている監視情報画面よりも古い監視情報画面の中で、「対応する」ボタン５２４がまだタッチされていない状態の監視情報画面が存在しない場合、現在、表示されている監視情報画面には、別監視情報受信表示５３１ａが含まれない。また、後で説明するように、ＴＡ表示部４６に、現在、表示されている監視情報画面よりも新しい監視情報画面の中で、「対応する」ボタン５２４がまだタッチされていない状態の監視情報画面が存在する場合、現在、表示されている監視情報画面には、別監視情報受信表示５３１ｂが含まれる（図１５）。
【００７８】
図１、図２および図１０を参照して、全ての携帯端末ユニットＴＡのＴＡ表示部４６に、監視情報画面５２−ｔ３が表示さている状態で、例えば、検知ユニットＳＵ−１が監視情報ＭＩ−ｔ４を管理サーバユニットＳＶに送信したとする。管理サーバユニットＳＶは、全ての携帯端末ユニットＴＡに対して、受信した監視情報ＭＩ−ｔ４を一斉送信する。一斉送信されてきた監視情報ＭＩ−ｔ４を、全ての携帯端末ユニットＴＡのＴＡ通信ＩＦ部４３が受信し、ＴＡ監視処理部４１２は、図１３に示すように、監視情報テーブルＭＴに監視情報ＭＩ−ｔ４を書き込む（図５において、処理Ｓ２でＹＥＳ、処理Ｓ３でＹＥＳ、処理Ｓ４）。
【００７９】
全ての携帯端末ユニットＴＡの表示処理部４１２１は、図５の処理Ｓ５をする。ここでは、図１３に示すように、監視情報ＭＩ−ｔ４に含まれる検知ＩＤは、対応フィールド４２３６が「０」である監視情報（監視情報ＭＩ−ｔ１，ＭＩ−ｔ３）に含まれる検知ＩＤと異なる。従って、処理Ｓ５はＹＥＳとなる。
【００８０】
全ての携帯端末ユニットＴＡの表示処理部４１２１は、図５の処理Ｓ６をする。ここでは、図１３に示すように、監視情報ＭＩ−ｔ４に含まれる検知ＩＤと同じ検知ＩＤを含む監視情報ＭＩ−ｔ２において、対応フィールド４２３６が「１」である。従って、処理Ｓ６はＮＯとなり、表示処理部４１２１は、処理Ｓ７をする。そして、表示処理部４１２１は、処理Ｓ５がＹＥＳなので、図１１に示すように、監視情報ＭＩ−ｔ４を用いて形成される監視情報画面５２−ｔ４と、既に存在している監視情報画面５２−ｔ３，５２−ｔ１とを、時系列に連結し、プレーンＰＬ−２を形成する。全ての携帯端末ユニットＴＡの表示処理部４１２１は、ＴＡ表示部４６に表示する監視情報画面を、図１０に示す監視情報画面５２−ｔ３（現在、表示されている監視情報画面）から図１１に示す監視情報画面５２−ｔ４（最新の監視情報画面）に切り替える。
【００８１】
図１１に示すように、表示画面記憶部４２１には、時系列で連結された監視情報画面５２−ｔ１，５２−ｔ３，５２−ｔ４が記憶されている。アイコン領域５２２には、離床を示す離床アイコンＩＣ−２が表示されている。別監視情報受信表示５３１ａは、２件の監視情報画面（監視情報画面５２−ｔ１，５２−ｔ３）が存在することを示している。
【００８２】
なお、図１３に示す監視情報ＭＩ−ｔ２の対応フィールド４２３６が「０」の場合、いずれの携帯端末ユニットＴＡにおいても、監視情報ＭＩ−ｔ２を基にして生成された監視情報画面で、「対応するボタン」５２４がタッチされていない。この場合、処理Ｓ６がＹＥＳとなり、表示処理部４１２１は、処理Ｓ８をする。従って、表示処理部４１２１は、図１４に示す監視情報画面５２−ｔ４をＴＡ表示部４６に表示させる。図１４に示す監視情報画面５２−ｔ４と図１１に示す監視情報画面５２−ｔ４との違いは、図１４に示す監視情報画面５２−ｔ４に起床アイコンＩＣ−１が含まれることである。起床アイコンＩＣ−１は、起床を示す判定結果である。
【００８３】
図１２に示す監視情報テーブルＭＴに、監視情報が登録されていな状態で、監視情報ＭＩ−ｔ４が登録された場合、処理Ｓ５でＮＯとなり、処理Ｓ６でＮＯとなる。図１２に示す監視情報テーブルＭＴに、監視情報ＭＩ−ｔ２のみが登録された状態で（但し、対応フィールド４２３６が「０」である）、監視情報ＭＩ−ｔ４が登録された場合、処理Ｓ５でＮＯとなり、処理Ｓ６でＹＥＳとなる。
【００８４】
以上説明したように、特徴１は、携帯端末ユニットＴＡが監視情報画面を表示した状態で、携帯端末ユニットＴＡが新たな監視情報を受信したとき、その監視情報は最新の監視情報であり、できるだけ早くその内容を表示することが望ましい点に着目している。特に、新たな監視情報に含まれる判定結果が重大な場合（例えば、被監視者Ｏｂの転倒転落）、その必要性が大きい。
【００８５】
特徴１によれば、表示処理部４１２１は、監視情報画面５２−ｔ３（図１０）をＴＡ表示部４６に表示させている状態で、ＴＡ通信ＩＦ部４３が新たな監視情報を受信したとき、現在、ＴＡ表示部４６に表示させている監視情報画面５２−ｔ３に替えて、その新たな監視情報を基にして生成した監視情報画面５２−ｔ４（図１１）をＴＡ表示部４６に表示させる。従って、特徴１によれば、監視情報画面が表示された状態で、新たな監視情報が来たとき、携帯端末ユニットＴＡのユーザ（すなわち監視者）が新たな監視情報に含まれる判定結果を見落とさないようにすることができる。
【００８６】
図１１を参照して、特徴１によれば、検知ユニットＳＵが、被監視者Ｏｂが所定の行動をしたことを判定したときに撮影した静止画Ｉｍ−ｔ４が、監視情報画面５２−ｔ４に含まれる。これにより、携帯端末ユニットＴＡのユーザ（監視者）は、被監視者Ｏｂの状態を画像で確認できる。そして、特徴１によれば、判定結果がアイコンＩＣで示されるので、判定結果の表示領域（アイコン領域５２２）を小さい面積にすることができる。これにより、静止画の表示領域（画像領域５２３ａ）の面積を大きくすることができる。
【００８７】
次に、本実施形態の特徴２を説明する。表示処理部４１２１は、図１１に示すように時系列で連結された監視情報画面５２−ｔ１，５２−ｔ３，５２−ｔ４をＴＡ表示部４６に切り替えて表示させる。図２を参照して、ＴＡ入力部４５は、操作入力部の一例である。操作入力部は、第１の操作による入力、および、第１の操作と異なる操作である第２の操作による入力がされる。第１の操作は、ＴＡ表示部４６に表示されている監視情報画面を上から下へフリックすることである。第２の操作は、ＴＡ表示部４６に表示されている監視情報画面を下から上へフリックすることである。
【００８８】
表示画面記憶部４２１は、ＴＡ通信ＩＦ部４３で受信された新たな監視情報（監視情報ＭＩ−ｔ４）を含む複数の監視情報（監視情報ＭＩ−ｔ１，ＭＩ−ｔ３，ＭＩ−ｔ４）のそれぞれを基にして生成された複数の監視情報画面（監視情報画面５２−ｔ１，５２−ｔ３，５２−ｔ４）について、新たな監視情報（監視情報ＭＩ−ｔ４）を基にして生成された監視情報画面（監視情報画面５２−ｔ４）を先頭とし、複数の監視情報がＴＡ通信ＩＦ部４３で受信された順番に、新しい方から古い方へ複数の監視情報画面（監視情報画面５２−ｔ１，５２−ｔ３，５２−ｔ４）を時系列に並べて記憶する。
【００８９】
携帯端末ユニットＴＡのユーザが、ＴＡ表示部４６に表示されている監視情報画面５２−ｔ４を下から上へフリックしたとき（第２の操作）、ＴＡ入力部４５は、そのフリックを受け付ける。表示処理部４１２１は、これに応答して、ＴＡ表示部４６に表示させている監視情報画面５２−ｔ４を、これより、一つ後の順番（一つ古い）の監視情報画面５２−ｔ３に切り替える。これを図１５に示す。図１５は、図１１に示す監視情報画面５２−ｔ４を下から上へフリックすることにより、切り替えられた監視情報画面５２−ｔ３を示す図である。
【００９０】
図１５に示す状態で、携帯端末ユニットＴＡのユーザが、ＴＡ表示部４６に表示されている監視情報画面５２−ｔ３を下から上へフリックしたとき（第２の操作）、ＴＡ入力部４５は、そのフリックを受け付ける。表示処理部４１２１は、これに応答して、ＴＡ表示部４６に表示されている監視情報画面５２−ｔ３を、これより一つ後の順番（一つ古い）の監視情報画面５２−ｔ１に切り替える（不図示）。これに対して、図１５に示す状態で、ユーザが、ＴＡ表示部４６に表示されている監視情報画面５２−ｔ３を上から下へフリックしたとき（第１の操作）、ＴＡ入力部４５は、そのフリックを受け付ける。表示処理部４１２１は、これに応答して、ＴＡ表示部４６に表示されている監視情報画面５２−ｔ３を、これより一つ前の順番（一つ新しい）の監視情報画面５２−ｔ４に切り替える（図１１）。
【００９１】
このように、表示処理部４１２１は、表示画面記憶部４２１に記憶されている複数の監視情報画面（監視情報画面５２−ｔ１，５２−ｔ３，５２−ｔ４）に対して、ＴＡ入力部４５（操作入力部）への入力に応じて、監視情報画面を切り替え表示する。表示処理部４１２１は、ＴＡ入力部４５に、上から下にフリックする入力がされたとき（第１の操作）、現在、ＴＡ表示部４６に表示させている監視情報画面よりも一つ前の順番の監視情報画面を、表示画面記憶部４２１から読み出してＴＡ表示部４６に表示させる。言い換えれば、表示処理部４１２１は、ＴＡ表示部４６に表示されている監視情報画面より時系列が一つ前の監視情報画面をＴＡ表示部４６に表示させる。具体例で説明すると、表示処理部４１２１は、図１５に示す監視情報画面５２−ｔ３から図１１に示す監視情報画面５２−ｔ４に切り替える。
【００９２】
これに対して、表示処理部４１２１は、ＴＡ入力部４５に、下から上にフリックにする入力がされたとき（第２の操作）、現在、ＴＡ表示部４６に表示させている監視情報画面よりも一つ後の順番の監視情報画面を、表示画面記憶部４２１から読み出してＴＡ表示部４６に表示させる。言い換えれば、表示処理部４１２１は、ＴＡ表示部４６に表示されている監視情報画面より時系列が一つ後の監視情報画面をＴＡ表示部４６に表示させる。具体例で説明すると、表示処理部４１２１は、図１１に示す監視情報画面５２−ｔ４から図１５に示す監視情報画面５２−ｔ３に切り替える。
【００９３】
以上のように、特徴２によれば、表示処理部４１２１は、表示画面記憶部４２１に記憶されている複数の監視情報画面５２−ｔ１，５２−ｔ３，５２−ｔ４に対して、基になる監視情報がＴＡ通信ＩＦ部４３で受信された順番を時系列として、その時系列に従って、順番に切り替えてＴＡ表示部４６に表示させることができる。
【００９４】
監視情報画面上において、上下方向をフリックの方向としたが、左右方向や斜め方向をフリックの方向にしてもよい。また、第１の操作および第２の操作は、フリックに限らず、スクロールやドラッグ等でもよい。
【００９５】
本実施形態の特徴３を説明する。表示処理部４１２１は、ＴＡ入力部４５に、上から下へのフリック（第１の操作）および下から上へのフリック（第２の操作）と異なる操作である第３の操作による入力がされたとき、（ａ）および（ｂ）を実行する。
【００９６】
（ａ）表示処理部４１２１は、現在、ＴＡ表示部４６に表示させている監視情報画面をＴＡ表示部４６から削除する。
【００９７】
（ｂ）表示処理部４１２１は、表示画面記憶部４２１に記憶している複数の監視情報画面のうち、ＴＡ表示部４６から削除された監視情報画面を消去する。
【００９８】
具体的に説明すると、図１５を参照して、携帯端末ユニットＴＡのユーザが、監視情報画面５２−ｔ３に含まれる「対応する」ボタン５２４をタッチしたとき（第３の操作）、表示処理部４１２１は、ＴＡ表示部４６から監視情報画面５２−ｔ３を削除し、表示画面記憶部４２１に記憶されている監視情報画面５２−ｔ３を消去する。表示処理部４１２１は、表示画面記憶部４２１に残された監視情報画面（監視情報画面５２−ｔ１，５２−ｔ４）を、時系列に連結し、新たなプレーンを形成する。よって、フリックにより、切り替えの対象となる監視情報画面は、監視情報画面５２−ｔ１，５２−ｔ４となる。
【００９９】
特徴２で説明したように、表示処理部４１２１は、表示画面記憶部４２１に記憶されている複数の監視情報画面を、その時系列に従って、順番に切り替えてＴＡ表示部４６に表示させることができる。しかし、現在、ＴＡ表示部４６に表示されている監視情報画面と、次に、ＴＡ表示部４６に表示させたい監視情報画面との間にある監視情報画面の数が多ければ、次に表示させたい監視情報画面に切り替えるのに時間を要する。そこで、特徴３によれば、表示処理部４１２１は、ある監視情報画面がＴＡ表示部４６に表示させている状態で、「対応する」ボタン５２４がタッチされたとき（第３の操作）、その監視情報画面を不要な監視情報画面とし、表示処理部４１２１は、その監視情報画面をＴＡ表示部４６から削除し、かつ、表示画面記憶部４２１から消去する。
【０１００】
本実施形態の特徴４を説明する。図１に示す複数の携帯端末ユニットＴＡのうち、いずれかの携帯端末ユニットＴＡで特徴３が実行されたとき、残りの携帯端末ユニットＴＡにおいて、残りの携帯端末ユニットＴＡの表示処理部４１２１は、上述した（ａ）および（ｂ）を実行する。
【０１０１】
詳しく説明すると、複数の携帯端末ユニットＴＡのそれぞれのＴＡ通信ＩＦ部４３が、複数の携帯端末ユニットＴＡに対して、管理サーバユニットＳＶから一斉に通知されてきた監視情報を受信する。そして、複数の携帯端末ユニットＴＡのそれぞれの表示処理部４１２１が、現在、ＴＡ表示部４６に表示させている監視情報画面（例えば、図１０に示す監視情報画面５２−ｔ３）に替えて、ＴＡ通信ＩＦ部４３が受信した新たな監視情報（例えば、図１３に示す監視情報ＭＩ−ｔ４）を基にして生成した監視情報画面（例えば、図１１に示す監視情報画面５２−ｔ４）をＴＡ表示部４６に表示させる状態にする。この状態で、複数の携帯端末ユニットＴＡのいずれか一つにおいて、監視情報画面５２−ｔ４に含まれる「対応する」ボタン５２４がタッチされたとき（第３の操作）、残りの携帯端末ユニットＴＡのそれぞれの表示処理部４１２１は、上記（ａ）および（ｂ）を実行する。すなわち、表示処理部４１２１は、ＴＡ表示部４６から監視情報画面５２−ｔ４を削除し、表示画面記憶部４２１に記憶されている監視情報画面５２−ｔ４を消去する。
【０１０２】
特徴３で説明したように、不要な監視情報画面が表示画面記憶部４２１に記憶されていると、ＴＡ表示部４６に表示させたい監視情報画面に切り替えるのに時間を要することがある。そこで、「対応する」ボタン５２４がタッチされることにより（第３の操作）、不要になった監視情報画面を、ＴＡ表示部４６から削除し、かつ、表示画面記憶部４２１から消去する。本実施形態の特徴４では、不要な監視情報画面を残りの携帯端末ユニットＴＡにおいても不要な監視情報画面と見なし、残りの携帯端末ユニットＴＡの表示処理部４１２１は、不要な監視情報画面をＴＡ表示部４６から削除し、かつ、表示画面記憶部４２１から消去する。これにより、複数の携帯端末ユニットＴＡにおいて、不要な監視情報画面の情報を共有することができる。
【０１０３】
本実施形態の特徴５を説明する。表示処理部４１２１は、重大な判定結果を含む監視情報画面を、ＴＡ表示部４６に表示させているとき、重大でない判定結果を含む監視情報画面に切り替わらないようにする。詳しく説明すると、例えば、予め定められた行動を、被監視者Ｏｂの転倒転落とし、予め定められた行動以外の行動を、被監視者Ｏｂの起床とする。転倒転落の判定結果を重大な判定結果とし、起床の判定結果を重大でない判定結果とする。
【０１０４】
転倒転落と起床の判定の仕方として、様々な方法がある。ここでは、その一例を簡単に説明する。例えば、図１に示す検知ユニットＳＵは、撮影した静止画から頭部画像およびベッド画像を抽出する。検知ユニットＳＵは、被監視者Ｏｂがベッドで起きているときの頭部画像の面積を含む所定の範囲の面積を示す第１のデータ、および、被監視者Ｏｂが床で横になっているときの頭部画像の面積を含む所定の範囲の面積を示す第２のデータを予め記憶している。
【０１０５】
検知ユニットＳＵは、抽出した頭部画像がベッド画像と重なっており、かつ、抽出した頭部画像の面積が第１のデータで示す面積の範囲内であるとき、起床と判定する。検知ユニットＳＵは、抽出した頭部画像の面積が第２のデータで示す面積の範囲内であるとき、転倒転落と判定する。
【０１０６】
表示処理部４１２１が、複数の被監視者Ｏｂのうち第１の被監視者（例えば、Ｍｓ．○○○○）が、転倒転落したことを示す判定結果を含む監視情報を基にして生成した監視情報画面をＴＡ表示部４６に表示させている状態とする。この状態で、ＴＡ通信ＩＦ部４３が、第１の被監視者と異なる第２の被監視者（例えば、Ｍｒ．××××）が、起床したことを示す判定結果を含む新たな監視情報を受信したとき、表示処理部４１２１は、現在、ＴＡ表示部４６に表示させている監視情報画面（Ｍｓ．○○○○の転倒転落を示す判定結果を含む監視情報画面）を切り替えずに継続してＴＡ表示部４６に表示させる。
【０１０７】
このように、特徴５によれば、表示処理部４１２１が、第１の被監視者の転倒転落を判定結果として含む監視情報を基にして生成した監視情報画面をＴＡ表示部４６に表示させている状態で、ＴＡ通信ＩＦ部４３が、第１の被監視者と異なる第２の被監視者の起床を判定結果として含む監視情報を受信した場合について、例外とする。この場合、表示処理部４１２１は、ＴＡ表示部４６に、現在、表示させている監視情報画面（判定結果が第１の被監視者の転倒転落である）を切り替えずに継続してＴＡ表示部４６に表示させる。従って、特徴５によれば、重大な判定結果（転倒転落）を含む監視情報画面がＴＡ表示部４６に表示されている状態で、重大でない判定結果（起床）を含む監視情報画面に切り替わることを防止できる。
【０１０８】
本実施形態の特徴６を説明する。表示処理部４１２１は、重大な判定結果を含む監視情報画面を、ＴＡ表示部４６に表示させている状態で、ＴＡ通信ＩＦ部４３が、重大な判定結果を含む新たな監視情報を受信したとき、その監視情報を基にした監視情報画面に切り替えるようにする。詳しく説明すると、表示処理部４１２１が、第１の被監視者が、転倒転落を示す判定結果を含む監視情報を基にして生成した監視情報画面をＴＡ表示部４６に表示させている状態とする。この状態で、ＴＡ通信ＩＦ部４３が、第２の被監視者が、転倒転落を示す判定結果を含む新たな監視情報を受信したとき、表示処理部４１２１は、ＴＡ表示部４６に表示させている監視情報画面に替えて、新たな監視情報を基にして生成した監視情報画面をＴＡ表示部４６に表示させる。
【０１０９】
携帯端末ユニットＴＡのユーザは、現在、ＴＡ表示部４６に表示されている監視情報画面を見ることができるので、その監視情報画面に重大な判定結果が含まれていれば、それを認識できる。しかし、ＴＡ通信ＩＦ部４３が、重大な判定結果を含む新たな監視情報を受信しただけでは、ユーザは、その監視情報に含まれる重大な判定結果を認識できない。そこで、特徴６によれば、ＴＡ通信ＩＦ部４３が、重大な判定結果を含む新たな監視情報を受信したとき、現在、ＴＡ表示部４６に表示されている監視情報画面が重大な判定結果を含む監視情報画面であっても、表示処理部４１２１は、新たな監視情報を基にして生成した監視情報画面をＴＡ表示部４６に表示させるようにする。
【０１１０】
次に、本実施形態の第１変形例〜第３変形例を説明する。図５で説明したように、携帯端末ユニットＴＡに監視情報画面を表示する動作において、表示処理部４１２１は、一人の被監視者Ｏｂに対して一つの監視情報画面を割り当てている。具体例で説明すると、図１１および図１３を参照して、表示処理部４１２１は、一人の被監視者Ｏｂ（ここではＭｓ．○○○○）について、監視情報記憶部４２２に複数の監視情報ＭＩ−ｔ２，ＭＩ−ｔ４が記憶されているとき、その被監視者Ｏｂの最新の監視情報ＭＩ−ｔ４を基にして監視情報画面５２−ｔ４を生成する。
【０１１１】
監視情報画面５２−ｔ４には、その被監視者Ｏｂの最新の監視情報に含まれる判定結果（ここでは離床を示す離床アイコンＩＣ−２）および静止画Ｉｍ−ｔ４が含まれる。その被監視者Ｏｂの残りの監視情報ＭＩ−ｔ２において、対応フィールド４２３６が「１」である。「０」の場合、表示処理部４１２１は、図１４に示す監視情報画面５２−ｔ４をＴＡ表示部４６に表示させる。図１４に示す監視情報画面５２−ｔ４には、離床アイコンＩＣ−２に加えて、監視情報ＭＩ−ｔ２に含まれる判定結果を示す起床アイコンＩＣ−１が含まれる。
【０１１２】
第１変形例〜第３変形例では、表示処理部４１２１は、一人の被監視者Ｏｂに対して複数の監視情報があるとき、その被監視者Ｏｂに対して、複数の監視情報画面を割り当てている。
【０１１３】
第１変形例から説明する。図１６は、第１変形例で生成されたプレーンＰＬ−３の一例を示す図である。表示処理部４１２１は、監視情報テーブルＭＴ（図３）に含まれる全ての監視情報について、監視情報画面を生成し、これらの監視情報画面を時系列で連結し、プレーンＰＬ−３を形成する。ユーザが、ＴＡ表示部４６に表示されている監視情報画面をフリックしたときの携帯端末ユニットＴＡの動作は、本実施形態と同じである。すなわち、ユーザが、ＴＡ表示部４６に表示されている監視情報画面を、上から下にフリックしたとき、表示処理部４１２１は、この監視情報画面より時系列が一つ前の監視情報画面をＴＡ表示部４６に表示させる。これに対して、ユーザが、ＴＡ表示部４６に表示されている監視情報画面を、下から上にフリックしたとき、表示処理部４１２１は、この監視情報画面より時系列が一つ後の監視情報画面をＴＡ表示部４６に表示させる。
【０１１４】
第２変形例は、複数の被監視者毎にプレーンＰＬを形成する。図１７は、第２変形例で生成されたプレーンＰＬの一例を示す図である。表示処理部４１２１は、図３に示す監視情報テーブルＭＴに含まれる、Ｍｓ．○○○○の全ての監視情報について、監視情報画面を生成し、これらの監視情報画面を時系列で連結し、プレーンＰＬ−４を形成する。表示処理部４１２１は、同様に、残りの被監視者（Ｍｒ．××××、Ｍｒ．△△△△等）についてもプレーンＰＬ−５、プレーンＰＬ−６等を形成する。
【０１１５】
図２に示す携帯端末ユニットＴＡのユーザは、ＴＡ入力部４５を操作して、所望の被監視者の監視情報画面を表示させる入力をしたとき、表示処理部４１２１は、その被監視者の監視情報画面をＴＡ表示部４６に表示させる。例えば、Ｍｓ．○○○○の監視情報画面を表示させる入力をしたとき、表示処理部４１２１は、Ｍｓ．○○○○の監視情報画面をＴＡ表示部４６に表示させる。ユーザが、ＴＡ表示部４６に表示されている監視情報画面をフリックしたときの携帯端末ユニットＴＡの動作は、本実施形態と同じである。例えば、Ｍｓ．○○○○の監視情報画面をＴＡ表示部４６に表示させている状態で、ユーザが、監視情報画面をフリックしたとき、プレーンＰＬ−４において、監視情報画面が切り替わる。
【０１１６】
図１８は、第３変形例で生成されたプレーンＰＬ−７の一例を示す図である。表示処理部４１２１は、監視情報テーブルＭＴ（図３）に含まれる全ての監視情報について、監視情報画面を生成し、これらの監視情報画面のうち、被監視者Ｏｂが予め定められた行動をしたことを示す判定結果（例えば、転倒転落）を含む監視情報画面と、残りの監視情報画面とに分ける。表示処理部４１２１は、前者の監視情報画面を時系列で連結し、プレーンＰＬ−７ａを形成する。表示処理部４１２１は、後者の監視情報画面を時系列で連結し、プレーンＰＬ−７ｂを形成する。表示処理部４１２１は、時系列において、プレーンＰＬ−７ａがプレーンＰＬ−７ｂより先になるように、プレーンＰＬ−７ａとプレーンＰＬ−７ｂとを連結してプレーンＰＬ−７を形成する。
【０１１７】
なお、第１変形例から第３変形例において、表示処理部４１２１は、対応フィールド４２３６が「１」の監視情報について、監視情報画面を生成しないようにしてもよい。
【０１１８】
本実施形態の特徴１から特徴６、および、第１変形例から第３変形例において、監視情報画面表示装置として、携帯端末ユニットＴＡで説明したが、図１に示す管理サーバユニットＳＶ、固定端末ユニットＳＰを監視情報画面表示装置にしてもよい。
【０１１９】
（実施形態の纏め）
本実施形態の第１の局面に係る監視情報画面表示装置は、被監視者が所定の行動をしたことを判定したとき、判定結果を含む監視情報を送信するセンサ装置を備える被監視者監視システムに適用される表示装置であって、ネットワークを介して前記監視情報を受信する通信部と、表示部と、前記通信部が受信した前記監視情報を基にして、前記判定結果を含む監視情報画面を生成し、前記監視情報画面を前記表示部に表示させる表示処理部と、を備え、前記表示処理部は、前記監視情報画面を前記表示部に表示させている状態で、前記通信部が新たな前記監視情報を受信したとき、現在、前記表示部に表示させている前記監視情報画面に替えて、前記通信部が受信した新たな前記監視情報を基にして生成した前記監視情報画面を前記表示部に表示させる。
【０１２０】
表示処理部は、監視情報画面を表示部に表示させている状態で、通信部が新たな監視情報を受信したとき、現在、表示部に表示させている監視情報画面に替えて、その新たな監視情報を基にして生成した監視情報画面を表示部に表示させる。従って、本実施形態の第１の局面に係る監視情報画面表示装置によれば、監視情報画面が表示された状態で、新たな監視情報が来たとき、監視者が新たな監視情報に含まれる判定結果を見落とさないようにすることができる。
【０１２１】
上記構成において、第１の操作による入力および前記第１の操作と異なる操作である第２の操作による入力がされる操作入力部と、前記通信部で受信された新たな前記監視情報を含む複数の前記監視情報のそれぞれを基にして生成された複数の前記監視情報画面について、新たな前記監視情報を基にして生成された前記監視情報画面を先頭とし、複数の前記監視情報が前記通信部で受信された順番に、新しい方から古い方へ複数の前記監視情報画面を時系列に並べて記憶する記憶部と、をさらに備え、前記表示処理部は、前記操作入力部に前記第１の操作による入力がされたとき、現在、前記表示部に表示させている前記監視情報画面よりも一つ前の順番の前記監視情報画面を、前記記憶部から読み出して前記表示部に表示させ、前記操作入力部に前記第２の操作による入力がされたとき、現在、前記表示部に表示させている前記監視情報画面よりも一つ後の順番の前記監視情報画面を、前記記憶部から読み出して前記表示部に表示させる。
【０１２２】
この構成によれば、表示処理部は、記憶部に記憶されている複数の監視情報画面に対して、基になる監視情報が通信部で受信された順番を時系列として、その時系列に従って、順番に切り替えて表示部に表示させることができる。
【０１２３】
上記構成において、前記表示処理部は、前記操作入力部に前記第１の操作および前記第２の操作と異なる操作である第３の操作による入力がされたとき、（ａ）現在、前記表示部に表示させている前記監視情報画面を前記表示部から削除し、かつ、（ｂ）前記記憶部に記憶している複数の前記監視情報画面のうち、前記表示部から削除された前記監視情報画面を消去する。
【０１２４】
表示処理部は、複数の監視情報画面を、その時系列に従って、順番に切り替えて表示部に表示させることができる。しかし、現在、表示部に表示されている監視情報画面と、次に、表示部に表示させたい監視情報画面との間にある監視情報画面の数が多ければ、次に表示させたい監視情報画面に切り替えるのに時間を要する。そこで、第３の操作がされることにより、表示処理部は、不要な監視情報画面を表示部から削除し、かつ、記憶部から消去する。
【０１２５】
上記構成において、前記被監視者監視システムは、複数の前記被監視者のそれぞれに割り当てられた複数の前記センサ装置を備え、複数の前記センサ装置は、前記所定の行動として、二種類以上の行動を区別して判定でき、前記表示処理部が、複数の前記被監視者のうち第１の被監視者が、前記二種類以上の行動のうち、予め定められた行動をしたことを示す前記判定結果を含む前記監視情報を基にして生成した前記監視情報画面を前記表示部に表示させている状態で、前記通信部が、前記第１の被監視者と異なる第２の被監視者が、前記予め定められた行動以外の行動をしたことを示す前記判定結果を含む新たな前記監視情報を受信したとき、前記表示処理部は、現在、前記表示部に表示させている前記監視情報画面を切り替えずに継続して前記表示部に表示させる。
【０１２６】
例えば、予め定められた行動を、被監視者の転倒転落とし、予め定められた行動以外の行動を、被監視者の起床とする。表示処理部が、第１の被監視者の転倒転落を判定結果として含む監視情報を基にして生成した監視情報画面を表示部に表示させている状態で、通信部が、第１の被監視者と異なる第２の被監視者の起床を判定結果として含む監視情報を受信した場合について、例外とする。この場合、表示処理部は、表示部に、現在、表示させている監視情報画面（判定結果が第１の被監視者の転倒転落である）を切り替えずに継続して表示部に表示させる。従って、この構成によれば、重大な判定結果（転倒転落）を含む監視情報画面が表示部に表示されている状態で、重大でない判定結果（起床）を含む監視情報画面に切り替わることを防止できる。
【０１２７】
上記構成において、前記表示処理部が、前記第１の被監視者が、前記予め定められた行動をしたことを示す前記判定結果を含む前記監視情報を基にして生成した前記監視情報画面を前記表示部に表示させている状態で、前記通信部が、前記第２の被監視者が、前記予め定められた行動をしたことを示す前記判定結果を含む新たな前記監視情報を受信したとき、前記表示処理部は、前記表示部に表示させている前記監視情報画面に替えて、新たな前記監視情報を基にして生成した前記監視情報画面を前記表示部に表示させる。
【０１２８】
監視情報画面表示装置のユーザは、現在、表示部に表示されている監視情報画面を見ることができるので、その監視情報画面に重大な判定結果が含まれていれば、それを認識できる。しかし、通信部が、重大な判定結果を含む新たな監視情報を受信しただけでは、ユーザは、その監視情報に含まれる重大な判定結果を認識できない。そこで、この構成によれば、通信部が、重大な判定結果を含む新たな監視情報を受信したとき、現在、表示部に表示されている監視情報画面が重大な判定結果を含む監視情報画面であっても、表示処理部は、新たな監視情報を基にして生成した監視情報画面を表示部に表示させるようにする。
【０１２９】
上記構成において、前記センサ装置は、前記被監視者について、静止画を撮影する機能、及び、前記被監視者が前記所定の行動をしたことを判定したとき、前記所定の行動をした判定をしたときに撮影した前記静止画、および、前記判定結果を含む前記監視情報を送信し、前記表示処理部は、前記静止画および前記判定結果を示すアイコンを含む前記監視情報画面を生成し、前記監視情報画面を前記表示部に表示させる。
【０１３０】
この構成によれば、センサ装置が、被監視者が所定の行動をしたことを判定したときに撮影した静止画が、監視情報画面に含まれるので、監視情報画面表示装置のユーザ（監視者）は、被監視者の状態を画像で確認できる。そして、この構成によれば、判定結果がアイコンで示されるので、判定結果の表示領域を小さい面積にすることができる。これにより、静止画の表示領域の面積を大きくすることができる。
【０１３１】
本実施形態の第２の局面に係る被監視者監視システムは、被監視者が所定の行動をしたことを判定したとき、判定結果を含む監視情報を送信するセンサ装置と、前記監視情報画面表示装置と、を備える。
【０１３２】
本実施形態の第２の局面に係る被監視者監視システムによれば、本実施形態の第１の局面に係る監視情報画面表示装置と同様の作用効果を有する。
【０１３３】
上記構成において、前記監視情報画面表示装置を複数備え、複数の前記監視情報画面表示装置のそれぞれの前記通信部が、複数の前記監視情報画面表示装置に対して、一斉に通知されてきた前記監視情報を受信し、複数の前記監視情報画面表示装置のそれぞれの前記表示処理部が、現在、前記表示部に表示させている前記監視情報画面に替えて、前記通信部が受信した新たな前記監視情報を基にして生成した前記監視情報画面を前記表示部に表示させている状態で、複数の前記監視情報画面表示装置のいずれか一つにおいて、前記第３の操作による入力がされたとき、残りの監視情報画面表示装置のそれぞれの前記表示処理部は、前記（ａ）および前記（ｂ）を実行する。
【０１３４】
上述したように、不要な監視情報画面（例えば、「対応する」ボタンがタッチされた監視情報画面）が記憶部に記憶されていると、表示部に表示させたい監視情報画面に切り替えるのに時間を要することがある。そこで、第３の操作をすることにより、不要になった監視情報画面を表示部から削除し、かつ、記憶部から消去する。この構成では、不要な監視情報画面を残りの監視情報画面表示装置においても、不要な監視情報画面と見なし、残りの監視情報画面表示装置の表示処理部は、不要な監視情報画面を表示部から削除し、かつ、記憶部から消去する。これにより、複数の監視情報画面表示装置において、不要な監視情報画面の情報を共有することができる。
【０１３５】
本実施形態の第３の局面に係る監視情報画面表示方法は、被監視者が所定の行動をしたことを判定したとき、判定結果を含む監視情報を送信するセンサ装置を備える被監視者監視システムに適用される表示方法であって、ネットワークを介して前記監視情報を受信する第１のステップと、前記第１のステップで受信された前記監視情報を基にして、前記判定結果を含む監視情報画面を生成し、前記監視情報画面を表示部に表示させる第２のステップと、前記第２のステップで前記監視情報画面を前記表示部に表示させている状態で、新たな前記監視情報を受信したか否かを判断する第３のステップと、前記第３のステップで新たな前記監視情報を受信したと判断したとき、現在、前記表示部に表示されている前記監視情報画面に替えて、前記第３のステップで受信した新たな前記監視情報を基にして生成した前記監視情報画面を前記表示部に表示させる第４のステップと、を備える。
【０１３６】
本実施形態の第３の局面に係る監視情報画面表示方法によれば、本実施形態の第１の局面に係る監視情報画面表示装置と同様の作用効果を有する。
【０１３７】
この出願は、２０１５年８月１０日に出願された日本国特許出願特願２０１５−１５８１７５を基礎とするものであり、その内容は、本願に含まれるものである。
【０１３８】
本発明を表現するために、上述において図面を参照しながら実施形態を通して本発明を適切且つ十分に説明したが、当業者であれば上述の実施形態を変更および／または改良することは容易に為し得ることであると認識すべきである。したがって、当業者が実施する変更形態または改良形態が、請求の範囲に記載された請求項の権利範囲を離脱するレベルのものでない限り、当該変更形態または当該改良形態は、当該請求項の権利範囲に包括されると解釈される。
【産業上の利用可能性】
【０１３９】
本発明によれば、被監視者監視システム、監視情報画面表示装置および監視情報画面表示方法を提供することができる。
【符号の説明】
【０１４０】
Ｏｂ（Ｏｂ−１〜Ｏｂ−４）  被監視者
ＮＳ（ＮＳ−１、ＮＳ−２）  監視者（ユーザ）
ＭＳ  被監視者監視システム
ＳＵ  検知ユニット
ＳＶ  管理サーバユニット
ＳＰ  固定端末ユニット
ＴＡ  携帯端末ユニット
ＭＴ  監視情報テーブル
ＤＴ  検知ユニット情報テーブル
４１  端末制御処理部（ＴＡ制御処理部）
４２  端末記憶部（ＴＡ記憶部）
４３  端末通信インターフェース部（ＴＡ通信ＩＦ部）
４５  端末入力部（ＴＡ入力部）
４６  端末表示部（ＴＡ表示部）
４１２  端末監視処理部（ＴＡ監視処理部）
【図１】
0006460151.tif 000002
【図２】
0006460151.tif 000003
【図３Ａ】
0006460151.tif 000004
【図３Ｂ】
0006460151.tif 000005
【図４】
0006460151.tif 000006
【図５】
0006460151.tif 000007
【図６】
0006460151.tif 000008
【図７】
0006460151.tif 000009
【図８】
0006460151.tif 000010
【図９】
0006460151.tif 000011
【図１０】
0006460151.tif 000012
【図１１】
0006460151.tif 000013
【図１２】
0006460151.tif 000014
【図１３】
0006460151.tif 000015
【図１４】
0006460151.tif 000016
【図１５】
0006460151.tif 000017
【図１６】
0006460151.tif 000018
【図１７】
0006460151.tif 000019
【図１８】
0006460151.tif 000020